(57)【要約】【課題】測定液中に含まれる測定成分を正確に測定する。【解決手段】測定装置（１Ａ）は、測定試薬（４０）が封入された測定室（１４）を備える測定容器（１０Ａ）、液体注入装置（２４）、光学測定機構（２５）、算出部（３１Ａ）、及び制御部（３０Ａ）を備え、希釈液注入モード、第１測定モード、測定液注入モード、及び第２測定モードを実行し、第１測定モード及び第２測定モードの測定結果から、測定成分の濃度を算出する。【選択図】図１
2017072579.tif 000002
【特許請求の範囲】
【請求項１】
測定液中の測定成分に反応する測定試薬が封入された１つまたは複数の測定室を備える測定容器と、
上記測定室に対して測定液および希釈液をそれぞれ注入する液体注入部と、
上記測定室に注入された液体と上記測定試薬との混合物を透過した透過光を測定する測定部と、
上記測定部の測定結果に基づいて、上記測定液中の測定成分の濃度を算出する算出部と、
上記液体注入部および上記測定部を制御する制御部とを備える測定装置であって、
上記制御部は、
上記液体注入部により上記測定室に対して上記希釈液を注入する希釈液注入モードと、
上記測定部により上記希釈液と上記測定試薬との第１混合物を透過した透過光を測定する第１測定モードと、
上記液体注入部により、上記希釈液が注入された測定室に対して測定液を注入する測定液注入モードと、
上記測定部により、上記希釈液と上記測定液と上記測定試薬との第２混合物を透過した透過光を測定する第２測定モードとを実行させ、
上記算出部は、上記第１測定モードで測定された第１測定結果と、上記第２測定モードで測定された第２測定結果とに基づいて、上記測定液中の測定成分の濃度を算出することを特徴とする測定装置。
【請求項２】
上記１つまたは複数の測定室は、複数の測定室であり、
上記複数の測定室にはそれぞれ、異なる種類の測定試薬、異なる量の測定試薬、又は、異なる種類および異なる量の測定試薬が封入され、
上記算出部は、上記第１測定モードで測定された第１測定結果と、上記第２測定モードで測定された第２測定結果とに基づいて、上記複数の測定室のそれぞれの測定液中の測定成分の濃度を算出することを特徴とする請求項１に記載の測定装置。
【請求項３】
上記測定容器を、回転軸を中心として回転運動させる回転駆動部を備え、
上記複数の測定室は、上記回転軸を中心とする同一円周上に配置されていることを特徴とする請求項２に記載の測定装置。
【請求項４】
上記測定容器は、上記測定試薬が封入されていない第１基準室を備え、
上記制御部は、
上記液体注入部により上記第１基準室に対して、上記測定液単独、または、上記測定液および希釈液の両方を、第１基準液として注入する第１基準液注入モードと、
上記測定部により、上記第１基準室に注入された上記第１基準液を透過した透過光を測定する第１基準液測定モードとをそれぞれ実行させ、
上記算出部は、上記第１測定モードで測定された第１測定結果と、上記第２測定モードで測定された第２測定結果と、上記第１基準液測定モードで測定された第３測定結果とに基づいて、上記測定液中の測定成分の濃度を算出することを特徴とする請求項１〜３の何れか１項に記載の測定装置。
【請求項５】
上記測定容器は、上記測定試薬が封入されていない第２基準室を備え、
上記制御部は、
上記液体注入部により上記第２基準室に対して、希釈液を第２基準液として注入する第２基準液注入モードと、
上記測定部により、上記第２基準室に注入された上記第２基準液を透過した透過光を測定する第２基準液測定モードとをそれぞれ実行させ、
上記算出部は、上記第１測定モードで測定された第１測定結果と、上記第２測定モードで測定された第２測定結果と、上記第２基準液測定モードで測定された第４測定結果とに基づいて、上記測定液中の測定成分の濃度を算出することを特徴とする請求項１〜３の何れか１項に記載の測定装置。
【請求項６】
上記測定容器は、上記測定試薬が封入されていない液体注入試行室を備え、
上記液体注入部は、上記測定液または上記希釈液を上記測定容器に送液するチューブを備え、
上記制御部は、上記液体注入部により上記希釈液注入モードおよび上記測定液注入モードを実行させる前に、上記チューブを上記測定液または上記希釈液で満たすように、上記液体注入部により上記チューブを介して上記液体注入試行室に対して上記希釈液および上記測定液をそれぞれ注入する液体注入試行モードを実行させることを特徴とする請求項１〜３または５の何れか１項に記載の測定装置。
【請求項７】
上記制御部は、上記測定部により上記液体注入試行モードにおいて上記液体注入試行室に対して注入された上記希釈液および上記測定液の混合液を透過した透過光を測定する混合液測定モードを実行させ、
上記算出部は、上記第１測定モードで測定された第１測定結果と、上記第２測定モードで測定された第２測定結果と、上記混合液測定モードで測定された第５測定結果とに基づいて、上記測定液中の測定成分の濃度を算出することを特徴とする請求項６に記載の測定装置。
【請求項８】
上記測定容器は、上記測定試薬が封入されていないブランク測定室を備え、
上記制御部は、上記測定部により、上記測定液および上記希釈液が注入されていない上記ブランク測定室を透過した透過光を測定するブランク測定モードを実行させ、
上記算出部は、
上記ブランク測定モードで測定された第６測定結果に基づいて、上記測定容器による透過光の減衰率を算出し、
算出した上記減衰率を用いて、上記測定液中の測定成分の濃度を算出することを特徴とする請求項１〜７の何れか１項に記載の測定装置。
【請求項９】
測定液中の測定成分に反応する測定試薬が封入された１つまたは複数の測定室を備える測定容器を用いた測定方法であって、
上記測定室に対して測定液および希釈液をそれぞれ注入する液体注入工程と、
上記測定室に注入された液体と上記測定試薬との混合物を透過した透過光を測定する測定工程と、
上記測定工程の測定結果に基づいて、上記測定液中の測定成分の濃度を算出する算出工程と、
上記液体注入工程および上記測定工程を制御する制御工程とを含み、
上記制御工程は、
上記液体注入工程により上記測定室に対して上記希釈液を注入する希釈液注入モードと、
上記測定工程により上記希釈液と上記測定試薬との第１混合物を透過した透過光を測定する第１測定モードと、
上記液体注入工程により、上記希釈液が注入された測定室に対して測定液を注入する測定液注入モードと、
上記測定工程により、上記希釈液と上記測定液と上記測定試薬との第２混合物を透過した透過光を測定する第２測定モードとをこの順に実行し、
上記算出工程は、上記第１測定モードで測定された第１測定結果と、上記第２測定モードで測定された第２測定結果とに基づいて、上記測定液中の測定成分の濃度を算出することを特徴とする測定方法。
【発明の詳細な説明】
【技術分野】
【０００１】
本発明は、試料分析において、測定液中に含まれる測定成分の分析に好適な測定装置及び測定方法に関する。
【背景技術】
【０００２】
例えば、農業の分野において、農作物の育成状態の管理のため、農作物の生育環境における土壌成分の分析が広く行われている。
【０００３】
土壌成分の分析を頻繁に行うことにより、圃場ごとの細かい分析や、作付けごとの分析を行うことで、前作の影響を考慮した施肥設計を行うことができる。また、生育期間の長い作物についてはより短いスパンで定期的に分析を行うことで、追肥のタイミングや量を最適化することができる。したがって、このような土壌分析を行うことにより、収穫量の増加や品質の安定化が望める。
【０００４】
一般的に、土壌分析装置は、それぞれの土壌抽出液を複数の試験管に目盛り付のスポイトで計量しながら注入する。その後、土壌成分毎に決められた測定試薬および希釈液を試験管に注入し、土壌抽出液と、測定試薬と、希釈液とを混合させた測定試料を作製する。作製した測定試料は、土壌抽出液の土壌成分と測定試薬とが反応することにより発色する。そして、発色した測定試料の発色の度合いを、比色表、比濁表、または、吸光光度法等を用いて数値換算することで、測定試料の光学特性の測定が行われている。
【０００５】
例えば、特許文献１には、測定試料の吸光度を計測する吸光度計測装置が開示されている。特許文献１に開示されている吸光度計測装置は、測定試薬の吸光特性を予め記憶している。これにより、吸光度計測装置は、記憶している測定試薬の吸光特性を用いて、測定した測定試料の吸光度を補正し、正確な吸光度を求めることができるようになっている。
【先行技術文献】
【特許文献】
【０００６】
【特許文献１】特開２０１０−２５６２９０号公報（２０１０年１１月１１日公開）
【発明の概要】
【発明が解決しようとする課題】
【０００７】
しかしながら、本願発明者等が検討したところ、同じ測定試薬を用いた場合であっても、測定試薬が持つ固有の吸光特性が大きくばらつくことが判明した。このため、特許文献１に開示されている吸光度計測装置のように、測定試薬が持つ固有の吸光特性を予め記憶させたとしても、測定試料中の測定成分を正確に測定することができないという問題が生じる。
【０００８】
すなわち、特許文献１に開示されている吸光度計測装置では、吸光度計測装置に吸光特性が記憶されている測定試薬と同じ測定試薬を用いて測定試料の吸光度を測定する。しかし、記憶されている測定試薬の吸光特性と、測定試料の吸光度を実際に測定する時点での測定試薬の吸光特性とは、ばらつきが非常に大きい。このため、記憶されている測定試薬の吸光特性に基づいて、測定試料の吸光度を補正しても、測定試料の吸光度を正確に計測することができない。したがって、測定試料中の測定成分を正確に測定することができない。また、上記吸光度計測装置において、吸光特性を記憶していない測定試薬を用いる場合は、該測定試薬の吸光特性を記憶させる作業が別途必要になる。
【０００９】
本発明は、上記の問題に鑑みてなされたものであり、その目的は、測定液中に含まれる測定成分を正確に測定することができる測定装置及び測定方法を提供することにある。
【課題を解決するための手段】
【００１０】
上記の課題を解決するために、本発明の一態様に係る測定装置は、測定液中の測定成分に反応する測定試薬が封入された１つまたは複数の測定室を備える測定容器と、上記測定室に対して測定液および希釈液をそれぞれ注入する液体注入部と、上記測定室に注入された液体と上記測定試薬との混合物を透過した透過光を測定する測定部と、上記測定部の測定結果に基づいて、上記測定液中の測定成分の濃度を算出する算出部と、上記液体注入部および上記測定部を制御する制御部とを備える測定装置であって、上記制御部は、上記液体注入部により上記測定室に対して上記希釈液を注入する希釈液注入モードと、上記測定部により上記希釈液と上記測定試薬との第１混合物を透過した透過光を測定する第１測定モードと、上記液体注入部により、上記希釈液が注入された測定室に対して測定液を注入する測定液注入モードと、上記測定部により、上記希釈液と上記測定液と上記測定試薬との第２混合物を透過した透過光を測定する第２測定モードとを実行させ、上記算出部は、上記第１測定モードで測定された第１測定結果と、上記第２測定モードで測定された第２測定結果とに基づいて、上記測定液中の測定成分の濃度を算出することを特徴とする。
【００１１】
上記の課題を解決するために、本発明の一態様に係る測定方法は、測定液中の測定成分に反応する測定試薬が封入された１つまたは複数の測定室を備える測定容器を用いた測定方法であって、上記測定室に対して測定液および希釈液をそれぞれ注入する液体注入工程と、上記測定室に注入された液体と上記測定試薬との混合物を透過した透過光を測定する測定工程と、上記測定工程の測定結果に基づいて、上記測定液中の測定成分の濃度を算出する算出工程と、上記液体注入工程および上記測定工程を制御する制御工程とを含み、上記制御工程は、上記液体注入工程により上記測定室に対して上記希釈液を注入する希釈液注入モードと、上記測定工程により上記希釈液と上記測定試薬との第１混合物を透過した透過光を測定する第１測定モードと、上記液体注入工程により、上記希釈液が注入された測定室に対して測定液を注入する測定液注入モードと、上記測定工程により、上記希釈液と上記測定液と上記測定試薬との第２混合物を透過した透過光を測定する第２測定モードとをこの順に実行し、上記算出工程は、上記第１測定モードで測定された第１測定結果と、上記第２測定モードで測定された第２測定結果とに基づいて、上記測定液中の測定成分の濃度を算出することを特徴とする。
【発明の効果】
【００１２】
本発明の一態様によれば、測定液中に含まれる測定成分を正確に測定することができる測定装置及び測定方法を提供するという効果を奏する。
【図面の簡単な説明】
【００１３】
【図１】本発明の実施形態１に係る測定装置の構成を示す概略図である。
【図２】上記測定装置の構成を示す斜視図である。
【図３】上記測定装置の測定容器の概略構成を模式的に示すものであり、（ａ）は測定容器を上方から見た正面図であり、（ｂ）は（ａ）はのＡ−Ａ’矢視断面図である。
【図４】上記測定容器の分析セルの概略構成を模式的に示すものであり、（ａ）は分析セルを上方から見た正面図であり、（ｂ）は（ａ）のＢ−Ｂ’矢視断面図である。
【図５】上記測定装置を用いた測定の手順を示すフローチャートである。
【図６】上記測定装置を用いた測定における、測定容器の測定室に液体が注入される様子を示すものであり、（ａ）は、希釈液注入工程前の測定室の断面図であり、（ｂ）は希釈液注入工程後の測定室の断面図であり、（ｃ）は第１撹拌工程後の測定室の断面図であり、（ｄ）は測定液注入工程後の測定室の断面図である。
【図７】上記分析セルの液体試料と試薬とを混合・撹拌した後の様子を示すものであり、（ａ）は分析セルを上方から見た正面図であり、（ｂ）は（ａ）のＣ−Ｃ’矢視断面図である。
【図８】本発明の実施形態２に係る測定装置の構成を示す概略図である。
【図９】上記測定装置の測定容器の概略構成を模式的に示す正面図である。
【図１０】上記測定装置を用いた測定の手順を示すフローチャートである。
【図１１】本発明の実施形態３に係る測定装置の構成を示す概略図である。
【図１２】上記測定装置の測定容器の概略構成を模式的に示す正面図である。
【図１３】上記測定装置を用いた測定の手順を示すフローチャートである。
【図１４】本発明の実施形態４に係る測定装置の構成を示す概略図である。
【図１５】上記測定装置の測定容器の概略構成を模式的に示す正面図である。
【図１６】上記測定装置を用いた測定の手順を示すフローチャートである。
【図１７】本発明の実施形態５に係る測定装置の構成を示す概略図である。
【図１８】上記測定装置の測定容器の概略構成を模式的に示す正面図である。
【図１９】上記測定装置を用いた測定の手順を示すフローチャートである。
【図２０】本発明の実施形態６に係る測定装置の構成を示す概略図である。
【図２１】上記測定装置の測定容器の概略構成を模式的に示す正面図である。
【図２２】上記測定装置を用いた測定の手順を示すフローチャートである。
【発明を実施するための形態】
【００１４】
〔実施形態１〕
以下、本発明の実施形態１における測定装置１Ａについて、図１〜図７に基づいて説明する。
【００１５】
（測定装置１Ａの構成）
本実施形態における測定装置１Ａの構成について、図１〜図３を参照しながら説明する。図１は、測定装置１Ａの構成を示す概略図である。図２は、測定装置１Ａの構成を示す斜視図である。図３は、測定容器１０Ａの概略を模式的に示すものであり、（ａ）は測定容器１０Ａを上方から見た正面図であり、（ｂ）は（ａ）のＡ−Ａ’矢視断面図である。
【００１６】
測定装置１Ａは、図２に示すように、回転軸１９を中心に測定容器１０Ａを回転させることで、測定容器１０Ａ内の液体を撹拌および混合するものである。さらに、測定装置１Ａは、測定容器１０Ａ内の液体の光学特性を測定し、液体中の成分を分析する機能も有する。
【００１７】
測定装置１Ａは、図２に示すように、測定容器１０Ａと、テーブル２２と、駆動機構２３（回転駆動部）と、液体注入装置２４（液体注入部）と、光学測定機構２５（測定部）とを備えている。さらに、測定装置１Ａは、図１に示すように、制御部３０Ａと、算出部３１Ａとを備えている。
【００１８】
測定容器１０Ａは、図３の（ａ）（ｂ）に示すように、６つの分析セル１１から構成されている。６つの分析セル１１は、仮想的な回転軸１９を中心とする扇形に形成されおり、測定容器１０Ａは全体として円盤状の構造となっている。各分析セル１１は、液体注入口１３と測定室１４とを備えており、液体注入口１３から注入された液体を測定室１４に収容できるようになっている。測定容器１０の詳細については、後述する。
【００１９】
以下の説明では、便宜上、液体注入口１３が形成される側を上方（上面または天面）、その逆側（測定容器１０の裏側）を下方（下面または底面）とする。測定容器１０に対して、重力は上方から下方に向かって作用するものとする。
【００２０】
テーブル２２は、測定容器１０Ａを載置するためのものである。テーブル２２は、駆動機構２３の頭頂部に配置されることで支持されている。テーブル２２の表面には、いわゆるＤカットされた円柱状の回転軸部材と、測定容器１０Ａを固定するためのストッパおよび爪などが配置されている。測定容器１０Ａの中心部が、テーブル２２の上記回転軸部材に挿入される。上記回転軸部材は、測定容器１０Ａの回転軸１９と同軸に配置される。テーブル２２には、測定容器１０Ａが表面にセットされた状態で各測定室１４の下方に位置する領域に開口部が形成されている。
【００２１】
駆動機構２３は、制御部３０Ａからの指示により、テーブル２２を回転駆動する。これにより、測定容器１０Ａが回転軸１９を中心として回転する。また、駆動機構２３は、後述する撹拌工程を行う場合には、制御部３０Ａからの指示により、測定容器１０Ａを回転軸１９の周りに加減速させながら回転させる。一例として、駆動機構２３は、パルス制御可能なステッピングモーターから構成することができる。
【００２２】
液体注入装置２４は、測定容器１０Ａに液体を注入するためのものである。測定対象である測定液を収容する測定液収容容器（不図示）と、測定液を希釈するための希釈液を収容する希釈液収容容器（不図示）とを備えている。測定液収容容器には、測定を開始する前に測定液が収容される。また、希釈液収容容器には、測定を開始する前に希釈液が収容される。液体注入装置２４は、制御部３０Ａからの指示により、測定液収容容器又は希釈液収容容器から、測定液又は希釈液を測定容器１０Ａに注入する。具体的には、液体注入装置２４は、各分析セル１１の液体注入口１３から測定室１４に測定液又は希釈液を注入する。なお、希釈液は、測定液を希釈するための溶媒であり、例えば水（純水）などである。
【００２３】
液体注入装置２４は、各分析セル１１の液体注入口１３に順次個別に測定液又は希釈液を注入してもよいし、すべての分析セル１１の液体注入口１３に同時に測定液又は希釈液を注入してもよい。
【００２４】
なお、液体注入装置２４を用いて注入される測定液は、測定装置１Ａで測定するために予め抽出するなどして調製したものであってもよく、採取した液体サンプルを調製せずにそのまま利用するものであってもよい。
【００２５】
光学測定機構２５は、測定容器１０Ａの測定室１４内の液体試料の光学特性を測定し、液体試料中に含まれる１または複数の測定成分を分析するものである。一例として、光学測定機構２５は、吸光光度法により液体試料の成分を測定する。光学測定機構２５は、発光部２５ａと、受光部２５ｂとを備えている。測定容器１０Ａは、発光部２５ａと受光部２５ｂとの間に配置され、発光部２５ａが測定容器１０Ａの上方に、受光部２５ｂが測定容器１０Ａの下方に配されている。
【００２６】
発光部２５ａは、制御部３０Ａからの指示により、回転駆動されるテーブル２２にセットされた測定容器１０Ａの各分析セル１１の測定室１４のうち何れかに光を照射するものである。発光部２５ａは、回転駆動されるテーブル２２にセットされた測定容器１０Ａの各分析セル１１の測定室１４のうち何れかの上方に位置するように配置されている。そして、発光部２５ａは、下方に配置された分析セル１１の上面に光を照射する。
【００２７】
受光部２５ｂは、発光部２５ａから分析セル１１の上面に照射され、測定室１４を透過し、分析セル１１の下面から出射された光を受光し、当該受光した光の透過量を測定する。受光部２５ｂは、測定した光の透過量を算出部３１Ａに出力する。受光部２５ｂは、発光部２５ａの下方に配されている。受光部２５ｂは、測定した光の透過量を、スペクトルデータとして算出部３１Ａに出力する。
【００２８】
制御部３０Ａは、駆動機構２３、液体注入装置２４、及び光学測定機構２５の発光部２５ａの動作を制御する。
【００２９】
算出部３１Ａは、受光部２５ｂから出力された光の透過量（スペクトルデータ）を基に、測定室１４内の液体試料の吸光度を算出し、算出した吸光度から測定室１４内の液体試料中の測定成分の濃度を算出する。
【００３０】
（測定容器１０の構成）
次に、測定容器１０の構成について、図３に基づいて説明する。
【００３１】
図３の（ａ）に示すように、測定容器１０Ａは、仮想的な線を表す回転軸１９を中心として、上述した測定装置１Ａの駆動機構２３（図１、２参照）により回転駆動されるものである。各分析セル１１は、図中破線で示すように区画化されており、互いに連通していない。なお、本実施形態では、６つの分析セル１１が形成されているが、分析セル１１の数は限定されるものではない。つまり、分析セル１１の数は、１つであっても、複数であってもよい。
【００３２】
各分析セル１１の上面には、液体注入口１３と天面側測定窓１６ａとが形成されている。測定容器１０Ａでは、液体注入口１３が内周側に、天面側測定窓１６ａが外周側に形成されている。すべての液体注入口１３は、回転軸１９を中心とする第１の円周上（同一円周上）に形成されている。同様に、すべての天面側測定窓１６ａは、測定容器１０Ａの外縁に沿って、回転軸１９を中心とする第２の円周上（同一円周上）に形成されている。分析セル１１の詳細は後述する。
【００３３】
なお、測定容器１０Ａ（分析セル１１）を構成する材料は特に限定されるものではない。測定容器１０Ａを安価な構成とするためには、全体が透明性の高い合成樹脂から作製されていることが好ましい。本実施形態においては、測定容器１０Ａは、全体が透明性の高いポリスチレンで作製されている。
【００３４】
測定容器１０Ａの断面は、図３の（ｂ）に示すように、ハット形状となっており、ハット形状の頭部からフランジ部に亘って空間が形成されている。これにより、分析セル１１が容器形状となっている。具体的には、分析セル１１内の空間は、上記頭部に対応する分析セル１１の上面に形成された液体注入口１３、上記フランジ部に形成された測定室１４、及び液体注入口１３と測定室１４とを接続する流路１５から形成されている。
【００３５】
各測定室１４内には、測定液に含まれる複数の成分のうちの所定の成分と反応する測定試薬４０が封入されている。流路１５には、液体注入口１３から外周方向の測定室１４に向かって下がる傾斜面１５ａが形成されている。このように、測定容器１０Ａは、回転軸１９の周りに複数の液体注入口１３が形成され、各液体注入口１３の外周側に流路１５を通して連通する測定室１４が形成された構成となっている。６つの測定室１４は、回転軸１９に垂直な１つの平面において、回転軸１９を中心とする同一円周上に配置されている。
【００３６】
なお、測定容器１０Ａの断面の形状はハット形状に限定されるものではなく、例えば、円柱形状等、他の形状であってもよい。
【００３７】
次に、分析セル１１の構造の詳細について、図４に基づいて説明する。図４は、分析セル１１の概略を模式的に示すものであり、（ａ）は分析セル１１を上方から見た正面図であり、（ｂ）は（ａ）のＢ−Ｂ’矢視断面図である。
【００３８】
図４の（ａ）に示すように、液体注入口１３は、測定室１４に、測定液又は希釈液を導入するための開口部である。液体注入口１３は、液体注入口１３と測定室１４とを連通する流路１５に接続されており、液体注入口１３に導入された測定液又は希釈液は流路１５を介して測定室１４に導入される。
【００３９】
測定室１４は、測定液又は希釈液を収容し、測定液、希釈液、又は測定液と希釈液との混合溶液を透過した光の透過量を測定するための空間である。各測定室１４内には、測定液に含まれる所定の測定成分と反応する測定試薬４０が封入されている。例えば、各測定室１４内の測定試薬４０は、各分析セル１１で測定したい測定成分に対して呈色反応を示す試薬である。測定試薬４０は、測定成分に応じて任意に設定すればよく、特に限定されるものではない。例えば、土壌分析においてＭｇ成分の濃度を測定したい場合の測定試薬４０として、「キシリジルブルー＋Ｔｒｉｔｏｎ  Ｘ−１００＋トリエタノールアミン＋硫酸ナトリウム＋ＧＥＤＴＡ＋テトラエチレンペンタミン＋リン酸水素２ナトリウム+水酸化ナトリウム溶液」混合溶液等を挙げることができる。測定液の他の測定成分について測定する場合は、その測定成分に対応する市販の測定試薬４０、または、開発した測定試薬４０を用いることができる。なお、測定試薬４０は、粉体などの固体でもよいし、液体でもよい。本実施形態の測定容器１０Ａの各測定室１４には、同じ種類、且つ、同じ量の測定試薬４０がそれぞれ封入されている。
【００４０】
測定室１４の内壁は、図４の（ｂ）に示すように、互いに対向する天面１７と底面１８とを含んでいる。
【００４１】
さらに、測定室１４の天面１７は、高天面１７ａと低天面１７ｂとから構成されている。高天面１７ａは、低天面１７ｂよりも上方に位置している。つまり、高天面１７ａと低天面１７ｂとの間には段差が設けられている。低天面１７ｂは、測定室１４の天面１７のうち、円周方向の中央部に設けられており、高天面１７ａは、低天面１７ｂの円周方向の両側に設けられている。
【００４２】
天面１７の低天面１７ｂには、天面側測定窓１６ａが設けられている。また、測定室１４の底面１８には、底面側測定窓１６ｂが設けられている。天面１７には段差が形成されており、測定室１４の天面１７は、光透過部である天面側測定窓１６ａの部分がその周囲よりも掘り下がった形状になっている。つまり、底面１８からの高さが相対的に低い低天面１７ｂの周辺に、底面１８からの高さが低天面１７ｂよりも高い高天面１７ａが形成されている。天面側測定窓１６ａと底面側測定窓１６ｂとは、上方（または下方）から見ると、互いに重なるように設けられている。測定室１４の天面側測定窓１６ａ及び底面側測定窓１６ｂは、測定容器１０Ａの外縁に沿って、回転軸１９を中心とする同一円周上（第２の円周上）に形成されている（図３参照）。
【００４３】
測定容器１０Ａは、天面側測定窓１６ａから底面側測定窓１６ｂへ透過した光に基づいて測定液を分析するために設けられる。このため、少なくとも天面側測定窓１６ａ及び底面側測定窓１６ｂが、シリコーン、ガラス、ポリカーボネート、アクリル等の透明材から作製されていればよい。なお、上述のように、本実施形態では測定容器１０Ａの全体が透明性の高いポリスチレンで作製されている。このように、測定容器１０Ａが光透過性材料（特に透明材料）から形成されている場合、天面側測定窓１６ａ及び底面側測定窓１６ｂを別途設ける必要はなく、天面側測定窓１６ａ及び底面側測定窓１６ｂが測定容器１０Ａと一体となっている。
【００４４】
流路１５は、一端が液体注入口１３に、他端が測定室１４に接続されている。流路１５には、液体注入口１３から外周方向の測定室１４に向かって下がる傾斜面１５ａが形成されている。傾斜面１５ａは、液体注入口１３から測定室１４の底面１８まで形成されている。すなわち、傾斜面１５ａの高さは、液体注入口１３から、測定室１４が形成される分析セル１１の外周方向に向かって、次第に低くなっている。これにより、液体注入口１３から導入された測定液又は希釈液を、液体注入口１３の直下付近に溜まることなく、スムーズに傾斜面１５ａに沿って測定室１４に導くことができるようになっている。さらに、後述する測定容器１０Ａの回転の遠心力によって測定液又は希釈液と、測定試薬４０とを混合する際に、測定液又は希釈液が、測定室１４から液体注入口１３へと逆流することを防ぎ、測定液又は希釈液が測定容器１０Ａの外部へ飛散することを防ぐことができるようになっている。
【００４５】
（測定試薬４０が持つ固有の吸光度の影響）
次に、測定試薬４０の吸光度の問題について説明する。上述のように、本実施形態の測定装置１Ａは、吸光光度法により測定液中の測定成分を測定することによって、測定液の光学特性を測定している。
【００４６】
ここで、測定液の吸光度の測定結果には、測定試薬４０と、測定液中の測定成分との反応後の吸光度に加えて、測定試薬４０が持つ固有の吸光特性も反映されている。このため、測定試薬４０が持つ固有の吸光特性が既知である場合、測定装置１Ａに測定試薬４０が持つ固有の吸光特性を予め登録（記憶）させておけば、測定試薬４０が持つ固有の吸光特性の影響を、測定液の吸光度の測定結果から排除できるようにも考えられる。
【００４７】
しかし、本願発明者等が検討したところ、同じ測定試薬４０を用いた場合であっても、測定試薬４０が持つ固有の吸光特性が大きくばらつくことが判明した。このため、測定試薬４０が持つ固有の吸光特性を測定装置１Ａに予め記憶させたとしても、測定液中の測定成分を正確に測定することができないという問題が生じる。
【００４８】
そこで、本実施形態の測定装置１Ａでは、制御部３０Ａが、液体注入装置２４、及び光学測定機構２５を制御して、以下の４つの工程を実行させるようになっている。
（１）測定室１４に対して希釈液を注入する希釈液注入工程（希釈液注入モード）。
（２）測定室１４内の希釈液と測定試薬４０との第１混合物を透過した透過光を測定する第１測定工程（第１測定モード）。
（３）希釈液注入工程により希釈液が注入された測定室１４に対して測定液を注入する測定液注入工程（測定液注入モード）。
（４）測定室１４内の希釈液と測定液と測定試薬４０との第２混合物を透過した透過光を測定する第２測定工程（第２測定モード）。
【００４９】
さらに、測定装置１Ａでは、算出部３１Ａが、第１測定工程で測定された第１測定結果と、第２測定工程で測定された第２測定結果とに基づいて、測定液中の測定成分の濃度を算出するようになっている。
【００５０】
このように、測定装置１Ａでは、測定試薬４０が予め封入された測定室１４に対して、まず希釈液（溶媒）のみを注入した後（希釈液注入工程）、希釈液と測定試薬４０との第１混合物（測定試薬４０が希釈液に溶解した溶液）を透過した透過光を測定する（第１測定工程）。次に、第１混合物を有する測定室１４に、測定液を追加注入した後（測定液注入工程）、希釈液と測定液と測定試薬４０との第２混合物（測定試薬４０および測定液が希釈液に溶解した溶液）を透過した透過光を測定する（第２測定工程）。
【００５１】
ここで、希釈液には測定試薬４０と反応する測定成分が含まれていない。このため、第１測定工程で測定された第１測定結果から、測定試薬４０が持つ固有の吸光特性を正確に測定することができる。一方、第２測定工程で測定された第２測定結果には、測定試薬４０と、測定液中の測定成分との反応後の吸光度に加えて、測定試薬４０が持つ固有の吸光特性も反映されている。
【００５２】
測定装置１Ａでは、算出部３１Ａが、第１測定結果と第２測定結果とに基づいて、測定液中の測定成分の濃度を算出する。これにより、第２測定結果に反映されている測定試薬４０が持つ固有の吸光特性は、第１測定結果によって補正される。その結果、測定試薬４０と、測定液中の測定成分との反応による吸光度を正確に測定することができる。したがって、測定液中に含まれる測定成分を正確に測定することができる。
【００５３】
なお、測定試薬４０が持つ固有の吸光特性が大きくばらつく原因は不明であるものの、以下の原因が考えられる。すなわち、測定試薬４０は、通常複数の成分から構成された混合物であるため、複数の成分の混合比が少しでも変わると、測定試薬４０の光学特性が顕著に変化する可能性がある。また、測定試薬４０を保存している間に、測定試薬４０を構成する複数の成分同士が反応したり、測定試薬４０が空気中の酸素や水分と反応したりして、測定試薬４０の光学特性が変化する可能性がある。
【００５４】
測定装置１Ａでは、第１測定工程と第２測定工程とを同じ測定室１４で実施し、測定液の吸光度を測定する度に、測定試薬４０の吸光特性を測定している。このため、上述した測定試薬４０が持つ固有の吸光特性がばらつく原因に関係なく、測定液中に含まれる測定成分を正確に測定することができる。
【００５５】
（測定装置１Ａの測定方法）
次に、測定装置１Ａを用いた測定方法について、図５および図６を参照しながら詳細に説明する。図５は、測定装置１Ａを用いた測定の手順を示すフローチャートである。図６は、測定装置１Ａを用いた測定における、測定容器１０Ａの測定室１４に液体が注入される様子を示すものであり、（ａ）は、希釈液注入工程前の測定室１４の断面図であり、（ｂ）は希釈液注入工程後の測定室１４の断面図であり、（ｃ）は後述する第１撹拌工程後の測定室１４の断面図であり、（ｄ）は後述する測定液注入工程後の測定室１４の断面図である。
【００５６】
図５に示すように、まず、制御部３０Ａからの指示により、液体注入装置２４は、希釈液を測定容器１０Ａの測定室１４に注入する（Ｓ１、希釈液注入工程）。
【００５７】
ここで、希釈液注入工程で測定室１４に注入する希釈液の量について、図６を参照しながら説明する。
【００５８】
図６の（ａ）に示すように、測定室１４には予め測定液に含まれる所定の測定成分と反応する測定試薬４０が封入されている。そして、希釈液注入工程で測定室１４に希釈液が注入されると、図６の（ｂ）に示すように、希釈液の液面が低天面１７ｂよりも低い位置となる。すなわち、希釈液注入工程で注入する希釈液の量は、希釈液の液面が低天面１７ｂよりも低い位置となるような量となっている。測定室１４の形状・容量は予めわかっているので、制御部３０Ａは、希釈液の液面が低天面１７ｂよりも低い位置となる量の希釈液を測定室１４に注入するように指示を出すことができる。
【００５９】
次に、制御部３０Ａからの指示により、駆動機構２３は、回転軸１９を中心として測定容器１０Ａを回転させ、希釈液と測定試薬４０とを測定室１４内部で撹拌する（Ｓ２、第１撹拌工程）。
【００６０】
図６の（ｂ）に示すように、希釈液注入工程で注入された希釈液の液面は低天面１７ｂよりも低い位置となっている。すなわち、希釈液の液面と低天面１７ｂの間には、希釈液が存在しない空間が形成される。これにより、第１撹拌工程時には、希釈液の動きが、高天面１７ａと低天面１７ｂとの間に存在する段差によって妨げられることなく、波打つように測定室１４の内部を自由に移動することができる。その結果、測定室１４内部での希釈液の移動量が大きくなるため、撹拌効率が向上する。したがって、第１撹拌工程によって測定試薬４０の溶け残りを抑制し、希釈液中に測定試薬４０を溶解させることができる。
【００６１】
その結果、図６の（ｃ）に示すように、測定試薬４０を希釈液に溶解させ、希釈液と測定試薬４０との混合物である第１混合物Ｍ１が作製される。
【００６２】
次に、光学測定機構２５を用いて光学測定を行い、第１混合物Ｍ１を透過した光（透過光）の透過量を測定する（Ｓ３、第１測定工程）。
【００６３】
光学測定機構２５は、第１測定工程によって得られた第１混合物Ｍ１を透過した光の透過量の測定データ（第１測定結果）を、算出部３１Ａに出力する。第１測定工程によって得られた第１混合物Ｍ１を透過した光の透過量の測定データは、後述する測定液の測定成分の濃度を算出する際に使用する。
【００６４】
次に、制御部３０Ａからの指示により、液体注入装置２４は、測定液を測定容器１０Ａの測定室１４に注入する（Ｓ４、測定液注入工程）。
【００６５】
これにより、図６の（ｄ）に示すように、測定室１４には、測定液、希釈液及び測定試薬４０の混合物である第２混合物Ｍ２が作製される。測定液注入工程で注入する測定液の量は、第２混合物Ｍ２の液面が低天面１７ｂよりも高い位置となる量である。測定室１４の形状・容量は予めわかっているので、制御部３０Ａは、第２混合物Ｍ２の液面が低天面１７ｂよりも高い位置となる量の測定液を測定室１４に注入するように指示を出すことができる。
【００６６】
次に、制御部３０Ａからの指示により、駆動機構２３は、回転軸１９を中心として測定容器１０Ａを回転させ、希釈液および測定試薬４０（第１混合物Ｍ１）と、測定液とを測定室１４内部で撹拌する（Ｓ５、第２撹拌工程）。これにより、測定試薬４０が希釈液および測定液に均一に溶解した第２混合物Ｍ２が作製される。
【００６７】
次に、光学測定機構２５を用いて光学測定を行い、第２混合物Ｍ２を透過した光の透過量を測定する（Ｓ６、第２測定工程）。
【００６８】
第２測定工程では、駆動機構２３により回転軸１９の周りに回転する測定容器１０Ａの測定室１４を透過した光の透過量を測定する。具体的には、制御部３０Ａからの指示により発光部２５ａから照射された光を、天面側測定窓１６ａ、測定室１４、底面側測定窓１６ｂの順に透過させ、透過した光を受光部２５ｂに入射させる。そして、受光部２５ｂは、入射された光を受光し、当該受光した光の透過量のデータ（第２測定結果）を算出部３１Ａに出力する。
【００６９】
最後に、算出部３１Ａが、測定液の測定成分の濃度を算出する（Ｓ７）。
【００７０】
具体的には、まず、算出部３１Ａは、第１測定工程で測定した第１混合物Ｍ１を透過した光の透過量から、測定試薬４０が持つ固有の吸光特性を算出する。ここで、測定試薬４０の吸光特性とは、液体に溶解した測定試薬４０が光を吸収する性質のことである。測定試薬４０の吸光特性は、測定試薬４０が測定容器１０Ａに封入されている間に変化する可能性がある。測定試薬４０の吸光特性が変化すると、上述した第２測定工程において第２混合物Ｍ２を透過した光の透過量も変化する。したがって、測定液の測定成分の濃度を正確に算出することができなくなる。
【００７１】
そこで、本実施形態の測定装置１Ａでは、第１測定工程において、実際に測定室１４に封入されていた測定試薬４０と、希釈液との混合物である第１混合物Ｍ１を透過した光の透過量を測定する。そして、測定した第１混合物Ｍ１を透過した光の透過量から、測定室１４に封入されていた測定試薬４０の吸光特性を算出する。これにより、測定容器１０Ａに封入されている間に測定試薬４０の吸光特性が変化しても、測定試薬４０の吸光特性を正確に算出することができる。
【００７２】
次に、算出部３１Ａは、第２測定工程において測定した第２混合物Ｍ２を透過した光の透過量から、第２混合物Ｍ２の吸光度を算出する。このとき、算出部３１Ａは、第１測定工程の第１測定結果に基づいて、上述した測定試薬４０の吸光特性による影響を考慮に入れて、第２混合物Ｍ２の吸光度を算出する。これにより、測定試薬４０の吸光による影響を排除することができる。
【００７３】
次に、算出部３１Ａは、算出した第２混合物Ｍ２の吸光度から、第２混合物Ｍ２に含まれる測定成分の濃度を算出する。次に、算出部３１Ａは、算出した第２混合物Ｍ２に含まれる測定成分の濃度に、希釈倍率の逆数を乗ずることにより、測定液に含まれる測定成分の濃度を算出する。
【００７４】
このように、測定装置１Ａでは、算出部３１Ａが、第１測定結果と第２測定結果とに基づいて、測定液中の測定成分の濃度を算出する。これにより、第２測定結果に反映されている測定試薬４０が持つ固有の吸光特性は、第１測定結果によって補正される。その結果、測定試薬４０と、測定液中の測定成分との反応による吸光度を正確に測定することができる。したがって、測定液中に含まれる測定成分を正確に測定することができる。
【００７５】
また、測定装置１Ａでは、第１測定工程と第２測定工程とを同じ測定室１４で実施し、測定液の吸光度を測定する度に、測定試薬４０の吸光特性を測定している。このため、上述した測定試薬４０が持つ固有の吸光特性がばらつく原因に関係なく、測定液中に含まれる測定成分を正確に測定することができる。
【００７６】
（第２混合物Ｍ２に発生する気泡対策）
ここで、第２撹拌工程を行った後の第２混合物Ｍ２に発生する気泡対策について、図７に基づいて、詳細に説明する。図７は、第２撹拌工程を行った後の測定室１４の状態を模式的に示すものであり、（ａ）は分析セル１１を上方からみた正面図であり、（ｂ）は（ａ）のＣ−Ｃ’矢視断面図である。
【００７７】
測定液注入工程において測定液と測定試薬４０とを混合するにあたって、測定液と測定試薬４０との反応によって気体が発生すると、測定室１４中に気泡Ｂが発生する。或いは、第１撹拌工程及び第２撹拌工程において測定容器１０Ａを回転させて、測定液と測定試薬４０とを撹拌・溶解させる際にも、測定室１４中に気泡Ｂが発生してしまう。
【００７８】
しかし、測定室１４中に気泡Ｂが存在する状態で、光学測定を行うと、気泡Ｂに起因する光の散乱・反射が起こり、測定精度が低下するという問題が生じる場合がある。特に、図７の（ｂ）に示す天面側測定窓１６ａ及び底面側測定窓１６ｂ（底面１８）との間の測定空間Ｓに気泡Ｂが存在すると、測定精度が著しく低下してしまう。つまり、天面側測定窓１６ａ（低天面１７ｂ）への気泡Ｂの噛み込みは、測定精度の低下を招来する。
【００７９】
この問題を解決するために、本実施形態の測定容器１０Ａでは、測定室１４の天面１７が、光を透過する低天面１７ｂと、低天面１７ｂの周辺部に位置すると共に、測定室１４の底面１８に対して低天面１７ｂよりも高い位置には配置されている高天面１７ａとを有する。そして、測定液注入工程により測定液が注入された後には、第２混合物Ｍ２の液面が低天面１７ｂよりも高い位置となるようになっている。
【００８０】
これにより、図７の（ｂ）に示すように、液面が高天面１７ａよりも高い状態では、測定室１４中に気泡Ｂが発生しても、発生した気泡Ｂは、高天面１７ａと第２混合物Ｍ２の液面との間に形成される空間に容易にトラップされる。その結果、低天面１７ｂと底面１８との間の空間（天面側測定窓１６ａと底面側測定窓１６ｂとの間の測定空間Ｓ）への気泡Ｂの噛み込みが低減される。したがって、低天面１７ｂに光を透過させて第２混合物Ｍ２の光学特性を測定する際に、気泡Ｂの存在による測定精度の低下を防ぐことができる。
【００８１】
以上のように、本実施形態の測定装置１Ａでは、第１測定工程において、希釈液と測定試薬４０との混合物である第１混合物Ｍ１を透過した光の透過量を測定する。また、第２測定工程において、測定液、希釈液、及び測定試薬４０との混合物である第２混合物Ｍ２を透過した光の透過量を測定する。そして、算出部３１Ａは、第１混合物Ｍ１を透過した光の透過量と、第２混合物Ｍ２を透過した光の透過量とに基づいて、測定液の測定成分の濃度を算出する。
【００８２】
これにより、測定室１４に封入している間に測定試薬４０の吸光特性が変化したとしても、第１測定工程において吸光特性が変化した測定試薬４０を用いて第１混合物Ｍ１を透過した光の透過量を測定しているので、吸光特性が変化した測定試薬４０の吸光特性を算出することができる。そして、測定試薬４０の吸光特性の変化を考慮に入れて第２混合物Ｍ２の吸光度を算出する。したがって、測定液の測定成分の濃度を正確に算出することができる。
【００８３】
また、本実施形態の測定装置１Ａでは、測定試薬４０の吸光特性を算出するための測定室を設ける必要がなく、同一の測定室１４において、測定試薬４０の吸光特性と、第２混合物Ｍ２の吸光度を測定することができる。
【００８４】
また、本実施形態の測定装置１Ａにおいて、測定液の吸光度を精度良く測定するためには、測定成分の濃度の変化に対して吸光度が大きく変化する濃度領域で、吸光度を測定することが好ましい。例えば、測定液中の測定成分の濃度が高すぎる場合には、吸光度の変化が飽和してしまい、吸光度を正確に測定することができなくなる。しかし、測定装置１Ａでは、測定液を希釈液で希釈するようになっているため、測定液中の測定成分の濃度が高い場合であっても、測定液を希釈液で希釈し、測定液の測定成分の濃度を正確に算出することができる。また、希釈液には測定試薬４０と反応する測定成分が含まれていない。このため、第１測定工程で測定された第１測定結果から、測定試薬４０が持つ固有の吸光特性を正確に測定することができる。このように、希釈液は、測定液を希釈して濃度を調整する役割と、測定試薬４０が持つ固有の吸光特性を測定する役割とを果たしている。
【００８５】
〔実施形態２〕
本発明の他の実施形態について、図８〜図１０に基づいて説明すれば、以下のとおりである。なお、説明の便宜上、前記実施形態にて説明した部材と同じ機能を有する部材については、同じ符号を付記し、その説明を省略する。
【００８６】
実施形態１における測定装置１Ａでは、測定容器１０Ａの各測定室１４には、同じ種類、且つ、同じ量の測定試薬４０がそれぞれ封入されていた。そのため、測定液に含まれる成分のうち１つの成分の濃度しか算出することができなかった。
【００８７】
これに対し、本実施形態における測定装置１Ｂでは、各測定室１４に種類、量、又は種類及び量が異なる測定試薬がそれぞれ封入されている点が異なっている。これにより、測定液に含まれる複数の成分の濃度を１つの測定容器で同時に算出することができるようになっている。
【００８８】
（測定装置１Ｂの構成）
本実施形態における測定装置１Ｂの構成について、図８を参照しながら説明する。図８は、本実施形態における測定装置１Ｂの構成を示す概略図である。
【００８９】
測定装置１Ｂは、実施形態１における測定装置１Ａの構成（図１参照）と略同様の構成であるが、図８に示すように、測定容器１０Ｂ、制御部３０Ｂ、及び算出部３１Ｂの構成が異なる。
【００９０】
本実施形態の測定容器１０Ｂについて、図９に基づいて説明する。図９は、測定容器１０Ｂの構成を示す正面図である。尚、本実施形態では、６つの測定室１４を区別するために、６つの測定室１４をそれぞれ測定室１４ａ〜１４ｆと呼ぶ。本実施形態の測定容器１０Ｂは、図９に示すように、６つの測定室１４ａ〜１４ｆには、種類、量、又は種類及び量が異なる測定試薬４０ａ〜４０ｆがそれぞれ封入されている。
【００９１】
制御部３０Ｂは、駆動機構２３、液体注入装置２４、及び光学測定機構２５の発光部２５ａの動作を制御する。
【００９２】
算出部３１Ｂは、受光部２５ｂから出力された光の透過量のデータ（スペクトルデータ）を基に、測定室１４ａ〜１４ｆ内の液体試料の吸光度をそれぞれ算出し、算出した吸光度から測定室１４内の液体試料中の測定成分の濃度をそれぞれ算出する。
【００９３】
（測定装置１Ｂの測定方法）
測定装置１Ｂを用いた測定方法について、図１０を参照しながら説明する。図１０は、測定装置１Ｂを用いた測定の手順を示すフローチャートである。
【００９４】
図１０に示すように、まず、制御部３０Ｂからの指示により、液体注入装置２４は、希釈液を測定容器１０Ｂの測定室１４ａ〜１４ｆに注入する（Ｓ１１、希釈液注入工程）。
【００９５】
次に、制御部３０Ｂからの指示により、駆動機構２３は、回転軸１９を中心として測定容器１０Ｂを回転させ、希釈液と測定試薬４０ａ〜４０ｆとを各測定室１４ａ〜１４ｆ内部で撹拌する（Ｓ１２、第１撹拌工程）。これにより、各測定室１４ａ〜１４ｆにおいて、測定試薬４０ａ〜４０ｆを希釈液にそれぞれ溶解させる。その結果、各測定室１４ａ〜１４ｆには、希釈液と測定試薬４０ａ〜４０ｆとの混合物である第１混合物Ｍ１ａ〜Ｍ１ｆがそれぞれ作製される。
【００９６】
次に、光学測定機構２５を用いて光学測定を行い、第１混合物Ｍ１ａ〜Ｍ１ｆを透過した光の透過量をそれぞれ測定する（Ｓ１３、第１測定工程）。
【００９７】
次に、制御部３０Ｂからの指示により、液体注入装置２４は、測定液を各測定室１４ａ〜１４ｆに注入する（Ｓ１４、測定液注入工程）。
【００９８】
次に、制御部３０Ｂからの指示により、駆動機構２３は、回転軸１９を中心として測定容器１０Ｂを回転させ、希釈液および測定試薬４０（第１混合物Ｍ１ａ〜Ｍ１ｆ）と、測定液とを各測定室１４ａ〜１４ｆ内部で撹拌する（Ｓ１５、第２撹拌工程）。これにより、各測定室１４ａ〜１４ｆにおいて、測定液、希釈液及び測定試薬４０ａ〜４０ｆの混合物である第２混合物Ｍ２ａ〜Ｍ２ｆがそれぞれ作製される。
【００９９】
次に、光学測定機構２５を用いて光学測定を行い、第２混合物Ｍ２ａ〜Ｍ２ｆを透過した光の透過量をそれぞれ測定する（Ｓ１６、第２測定工程）。
【０１００】
最後に、算出部３１Ｂが、測定液の各測定成分の濃度を算出する（Ｓ１７）。
【０１０１】
具体的には、まず、算出部３１Ｂは、第１測定工程で測定した第１混合物Ｍ１ａ〜Ｍ１ｆを透過した光の透過量から、測定試薬４０ａ〜４０ｆが持つ固有の吸光特性をそれぞれ算出する。
【０１０２】
次に、算出部３１Ｂは、第２測定工程において測定した第２混合物Ｍ２ａ〜Ｍ２ｆを透過した光の透過量から、第２混合物Ｍ２ａ〜Ｍ２ｆの吸光度をそれぞれ算出する。このとき、算出部３１Ｂは、第１測定工程の第１測定結果に基づいて、測定試薬４０ａ〜４０ｆの吸光特性による影響を考慮に入れて、第２混合物Ｍ２ａ〜Ｍ２ｆの吸光度を算出する。これにより、各測定試薬４０ａ〜４０ｆの吸光による影響を排除することができる。
【０１０３】
次に、算出部３１Ｂは、算出した第２混合物Ｍ２ａ〜Ｍ２ｆの吸光度から、第２混合物Ｍ２ａ〜Ｍ２ｆに含まれる測定成分の濃度をそれぞれ算出する。次に、算出部３１Ｂは、算出した第２混合物Ｍ２ａ〜Ｍ２ｆに含まれる測定成分の濃度に、希釈倍率の逆数を乗ずることにより、測定液に含まれる測定成分の濃度をそれぞれ算出する。
【０１０４】
このように、本実施形態における測定装置１Ｂでは、各測定室１４ａ〜１４ｆに種類、量、又は種類及び量が異なる測定試薬４０ａ〜４０ｆがそれぞれ封入されている。そして、測定室１４ａ〜１４ｆにそれぞれ封入されている測定試薬４０ａ〜４０ｆの吸光特性を算出し、測定試薬４０ａ〜４０ｆの吸光特性に考慮に入れて、各測定試薬４０ａ〜４０ｆに反応する測定液の測定成分の濃度を算出している。これにより、測定液に含まれる複数の測定成分の濃度を１つの測定容器１０Ｂで同時に算出することができる。
【０１０５】
〔実施形態３〕
本発明の他の実施形態について、図１１〜図１３に基づいて説明すれば、以下のとおりである。なお、説明の便宜上、前記実施形態にて説明した部材と同じ機能を有する部材については、同じ符号を付記し、その説明を省略する。
【０１０６】
測定液として土壌抽出液を用いる場合、まず、土壌を抽出溶媒の入った容器にいれて、該容器を振動させ、土壌と抽出溶媒とを撹拌させる。これにより、土壌成分が抽出溶媒に抽出され、土壌抽出液が作製される。次に、作製した土壌抽出液をろ過することにより、土壌抽出液内の土壌を取り除き、測定液とする。しかし、土壌を濾過した後においても測定液には、わずかに土壌が存在するため、測定液には、わずかに濁りが存在する。
【０１０７】
測定液に、濁りが存在すると、測定液を透過した光の透過量を測定する際に、濁りの原因である土壌により光の一部が反射または散乱するため、測定を透過する光が減少する。その結果、測定した光の透過量を用いて算出した測定液の測定成分の濃度は、実際の測定液の測定成分の濃度よりも高くなってしまうという問題がある。
【０１０８】
そこで、本実施形態における測定装置１Ｃは、測定液に存在する濁りの影響を考慮することにより、正確に測定液の測定成分の算出を行うことができるようになっている。
【０１０９】
（測定装置１Ｃの構成）
本実施形態における測定装置１Ｃの構成について、図１１を参照しながら説明する。図１１は、本実施形態における測定装置１Ｃの構成を示す概略図である。
【０１１０】
測定装置１Ｃは、実施形態１における測定装置１Ａの構成（図１参照）と略同様の構成であるが、図１１に示すように、測定容器１０Ｃ、制御部３０Ｃ、及び算出部３１Ｃの構成が異なる。
【０１１１】
本実施形態の測定容器１０Ｃについて、図１２に基づいて説明する。図１２は、測定容器１０Ｃの構成を示す正面図である。本実施形態の測定容器１０Ｃは、図１２に示すように、５つの測定室１４ａ〜１４ｅと、１つの第１基準室５０とを備えている。各測定室１４には、同じ種類、且つ、同じ量の測定試薬４０が封入されており、第１基準室５０には、測定試薬４０は封入されていない。
【０１１２】
制御部３０Ｃは、駆動機構２３、液体注入装置２４、及び光学測定機構２５の発光部２５ａの動作を制御する。
【０１１３】
算出部３１Ｃは、受光部２５ｂから出力された光の透過量のデータ（スペクトルデータ）を基に、測定室１４内の液体試料の吸光度を算出し、算出した吸光度から測定室１４内の液体試料中の測定成分の濃度を算出する。
【０１１４】
（測定装置１Ｃの測定方法）
測定装置１Ｃを用いた測定方法について、図１３を参照しながら説明する。図１３は、測定装置１Ｃを用いた測定の手順を示すフローチャートである。
【０１１５】
図１３に示すように、まず、制御部３０Ｃからの指示により、液体注入装置２４は、希釈液を測定室１４に注入する（Ｓ２１、希釈液注入工程）。
【０１１６】
次に、制御部３０Ｃからの指示により、駆動機構２３は、回転軸１９を中心として測定容器１０Ｃを回転させ、希釈液と測定試薬４０とを各測定室１４ａ〜１４ｅ内部で撹拌する（Ｓ２２、第１撹拌工程）。これにより、各測定室１４ａ〜１４ｅにおいて、測定試薬４０を希釈液に溶解させる。その結果、各測定室１４ａ〜１４ｅには、希釈液と測定試薬４０との混合物である第１混合物Ｍ１が作製される。
【０１１７】
次に、光学測定機構２５を用いて光学測定を行い、測定室１４に収容されている、希釈液と測定試薬４０との混合物である第１混合物Ｍ１を透過した光の透過量を測定する（Ｓ２３、第１測定工程）。
【０１１８】
次に、制御部３０Ｃからの指示により、液体注入装置２４は、測定液を測定室１４に注入する（Ｓ２４、測定液注入工程）。
【０１１９】
次に、制御部３０Ｃからの指示により、液体注入装置２４は、測定液及び希釈液を第１基準室５０に注入する（Ｓ２５、第１基準液注入工程（第１基準液注入モード））。
【０１２０】
第１基準液注入工程において第１基準室５０に注入する希釈液の量は、希釈液注入工程で各測定室１４ａ〜１４ｅに注入した希釈液の量と同じ量である。また、第１基準液注入工程において第１基準室５０に注入する測定液の量は、測定液注入工程で各測定室１４ａ〜１４ｅに注入した測定液の量と同じ量である。
【０１２１】
次に、制御部３０Ｃからの指示により、駆動機構２３は、回転軸１９を中心として測定容器１０Ｃを回転させ、希釈液および測定試薬４０（第１混合物Ｍ１）と、測定液とを各測定室１４ａ〜１４ｅ内部で撹拌する（Ｓ２６、第２撹拌工程）。これにより、第１基準室５０では、測定液と希釈液とが撹拌され、測定液と希釈液との混合溶液である第１基準液Ｃ１が作製される。また、各測定室１４ａ〜１４ｅでは、測定液、希釈液及び測定試薬４０が撹拌され、測定液、希釈液及び測定試薬４０の混合物である第２混合物Ｍ２が作製される。
【０１２２】
次に、光学測定機構２５を用いて光学測定を行い、測定室１４に収容されている第２混合物Ｍ２を透過した光の透過量を測定する（Ｓ２７、第２測定工程）。
【０１２３】
次に、光学測定機構２５を用いて光学測定を行い、第１基準室５０に収容されている第１基準液Ｃ１を透過した光の透過量を測定する（Ｓ２８、第１基準液測定工程（第１基準液測定モード））。
【０１２４】
受光部２５ｂは、第１基準液測定工程によって得られた第１基準液Ｃ１を透過した光の透過量の測定データ（第３測定結果）を、算出部３１Ｃに出力する。さらに、受光部２５ｂは、第１基準液測定工程によって得られた第１基準液Ｃ１を透過した光の透過量の測定データを、後述する測定液の測定成分の濃度を算出する際に使用する。
【０１２５】
最後に、算出部３１Ｃが、測定成分の濃度を算出する（Ｓ２９）。
【０１２６】
具体的には、まず、算出部３１Ｃは、第１測定工程で測定した第１混合物Ｍ１を透過した光の透過量から、測定試薬４０の吸光特性を算出する。
【０１２７】
次に、算出部３１Ｃは、第１基準液測定工程において測定された第１基準液Ｃ１を透過した光の透過量から、測定液の濁りによる吸光度を算出する。上述したように、第１基準室５０には、測定試薬４０が封入されていない。したがって、第１基準液測定工程にいて測定された第１基準液Ｃ１を透過した光の透過量から、算出される吸光度は、測定液の濁りの吸光による吸光度である。それゆえ、第１基準液測定工程において測定された第１基準液Ｃ１を透過した光の透過量から、測定液の濁りの吸光による吸光度を算出することができる。
【０１２８】
次に、算出部３１Ｃは、第２測定工程において測定した第２混合物Ｍ２を透過した光の透過量から、第２混合物Ｍ２の吸光度を算出する。具体的には、算出部３１Ｃは、測定試薬４０の吸光特性、及び測定液の濁りによる吸光度を考慮にいれて、第２混合物Ｍ２の吸光度を算出する。これにより、測定液に濁りが存在しても、濁りによる吸光の影響を排除することができるので、第２混合物Ｍ２の吸光度を正確に算出することができる。
【０１２９】
次に、算出部３１Ｃは、算出した第２混合物Ｍ２の吸光度から、第２混合物Ｍ２に含まれる測定成分の濃度を算出する。次に、算出した第２混合物Ｍ２に含まれる測定成分の濃度に、希釈倍率の逆数を乗ずることにより、測定液に含まれる測定成分の濃度を算出する。
【０１３０】
このように、本実施形態における測定装置１Ｃでは、測定容器１０Ｃは、測定試薬４０が封入されていない第１基準室５０を備えている。第１基準室５０では、測定液と希釈液との混合物である第１基準液Ｃ１が作製される。そして、第１基準液を透過した光の透過量を測定することにより、測定液の濁りによる光の吸光度を算出する。第２混合物Ｍ２の吸光度を算出する際に、測定液の濁りによる光の吸光度による影響を排除する。これにより、第２混合物Ｍ２の吸光度を正確に算出することができる。すなわち、測定液の測定成分の濃度を正確に算出することができる。
【０１３１】
〔実施形態４〕
本発明の他の実施形態について、図１４〜図１６に基づいて説明すれば、以下のとおりである。なお、説明の便宜上、前記実施形態にて説明した部材と同じ機能を有する部材については、同じ符号を付記し、その説明を省略する。
【０１３２】
本発明では、測定液を希釈液で希釈することにより、測定試料の呈色の度合いを、吸光度を正確に測定できる範囲に収めることができるようにしている。しかし、希釈液もまたわずかであるが光を吸収するため、光の透過量を測定する際に、希釈液によって透過量が減少する。その結果、測定成分の濃度を実際の測定成分の濃度よりも高く算出してしまうという問題がある。
【０１３３】
そこで、本実施形態における測定装置１Ｄは、希釈液による透過量の減少を考慮することにより、測定液の測定成分の濃度を正確に算出することができるようになっている。
【０１３４】
（測定装置１Ｄの構成）
本実施形態における測定装置１Ｄの構成について、図１４を参照しながら説明する。図１４は、本実施形態における測定装置１Ｄの構成を示す概略図である。
【０１３５】
測定装置１Ｄは、実施形態１における測定装置１Ａの構成（図１参照）と略同様の構成であるが、図１４に示すように、測定容器１０Ｄ、制御部３０Ｄ、及び算出部３１Ｄの構成が異なる。
【０１３６】
本実施形態の測定容器１０Ｄについて、図１５に基づいて説明する。図１５は、測定容器１０Ｄの構成を示す正面図である。本実施形態の測定容器１０Ｄは、図１５に示すように、４つの測定室１４と、１つの第１基準室５０と、１つの第２基準室６０とを備えている。測定室１４には、同じ種類、且つ、同じ量の測定試薬４０が封入されており、第１基準室５０及び第２基準室６０には、測定試薬４０は封入されていない。
【０１３７】
制御部３０Ｄは、駆動機構２３、液体注入装置２４、及び光学測定機構２５の発光部２５ａの動作を制御する。
【０１３８】
算出部３１Ｄは、受光部２５ｂから出力された光の透過量のデータ（スペクトルデータ）を基に、測定室１４ａ〜１４ｅ内の液体試料の吸光度を算出し、算出した吸光度から測定室１４内の液体試料中の測定成分の濃度を算出する。
【０１３９】
（測定装置１Ｄの測定方法）
次に、測定装置１Ｄを用いた測定方法について、図１６を参照しながら説明する。図１６は、測定装置１Ｄを用いた測定の手順を示すフローチャートである。
【０１４０】
図１６に示すように、まず、制御部３０Ｄからの指示により、液体注入装置２４は、希釈液を測定室１４に注入する（Ｓ３１、希釈液注入工程）。
【０１４１】
次に、制御部３０Ｄからの指示により、駆動機構２３は、回転軸１９を中心として測定容器１０Ｄを回転させ、希釈液と測定試薬４０とを測定室１４内部で撹拌する（Ｓ３２、第１撹拌工程）。これにより、測定試薬４０が希釈液に溶解し、希釈液と測定試薬４０との混合物である第１混合物Ｍ１が作製される。
【０１４２】
次に、光学測定機構２５を用いて光学測定を行い、第１混合物Ｍ１を透過した光の透過量を測定する（Ｓ３３、第１測定工程）。
【０１４３】
次に、制御部３０Ｄからの指示により、液体注入装置２４は、測定液を測定室１４に注入する（Ｓ３４、測定液注入工程）。
【０１４４】
次に、制御部３０Ｄからの指示により、液体注入装置２４は、測定液及び希釈液を第１基準室５０に注入する（Ｓ３５、第１基準液注入工程）。
【０１４５】
次に、制御部３０Ｄからの指示により、液体注入装置２４は、希釈液を第２基準室６０に注入する（Ｓ３６、第２基準液注入工程（第２基準液注入モード））。以降では、第２基準室６０に注入された希釈液を第２基準液Ｃ２と呼ぶ。第２基準液注入工程において第２基準室６０に注入する希釈液の量は、希釈液注入工程で各測定室１４に注入した希釈液の量、及び測定液注入工程で各測定室１４に注入した測定液の量の合計量と同じ量である。
【０１４６】
次に、制御部３０Ｄからの指示により、駆動機構２３は、回転軸１９を中心として測定容器１０Ｄを回転させ、希釈液および測定試薬４０（第１混合物Ｍ１）と、測定液とを各測定室１４ａ〜１４ｅ内部で撹拌する（Ｓ３７、第２撹拌工程）。これにより、第１基準室５０では、測定液と希釈液とが撹拌され、測定液と希釈液との混合溶液である第１基準液Ｃ１が作製される。また、測定室１４では、測定液、希釈液及び測定試薬４０が撹拌され、測定液、希釈液及び測定試薬４０の混合物である第２混合物Ｍ２が作製される。
【０１４７】
次に、光学測定機構２５を用いて光学測定を行い、測定室１４に収容されている第２混合物Ｍ２を透過した光の透過量を測定する（Ｓ３８、第２測定工程）。
【０１４８】
次に、光学測定機構２５を用いて光学測定を行い、第１基準室５０に収容されている第１基準液Ｃ１を透過した光の透過量を測定する（Ｓ３９、第１基準液測定工程）。
【０１４９】
次に、光学測定機構２５を用いて光学測定を行い、第２基準室６０に収容されている第２基準液Ｃ２を透過した光の透過量を測定する（Ｓ４０、第２基準液測定工程（第２基準液測定モード））。
【０１５０】
受光部２５ｂは、第２基準液測定工程によって得られた第２基準液Ｃ２を透過した光の透過量の測定データ（第４測定結果）を、算出部３１Ｄに出力する。さらに、受光部２５ｂは、第２基準液測定工程によって得られた第２基準液Ｃ２を透過した光の透過量の測定データを、後述する測定液の測定成分の濃度を算出する際に使用する。
【０１５１】
最後に、算出部３１Ｄが、測定成分の濃度を算出する（Ｓ４１）。
【０１５２】
具体的には、まず、算出部３１Ｄは、第１測定工程において測定した第１混合物Ｍ１を透過した光の透過量から、測定試薬４０の吸光特性を算出する。
【０１５３】
次に、算出部３１Ｄは、第１基準液測定工程において測定された第１基準液Ｃ１を透過した光の透過量から、測定液の濁りによる吸光度を算出する。
【０１５４】
次に、算出部３１Ｄは、第２基準液測定工程において測定された第２基準液Ｃ２を透過した光の透過量から、第２基準液Ｃ２の吸光度、すなわち希釈液の吸光度を算出する。上述したように、第２基準室６０には、測定試薬４０が封入されていない。したがって、第２基準液測定工程にいて測定された第２基準液Ｃ２を透過した光の透過量から、算出される吸光度は、希釈液の吸光による吸光度である。それゆえ、第２基準液測定工程において測定された第２基準液Ｃ２を透過した光の透過量から、希釈液の吸光度を算出することができる。
【０１５５】
次に、算出部３１Ｄは、第２測定工程において測定され第２混合物Ｍ２を透過した光の透過量から、第２混合物Ｍ２の吸光度を算出する。具体的には、算出部３１Ｄは、測定試薬４０の吸光特性、測定液の濁りによる吸光度、及び希釈液の吸光度を考慮にいれて、第２混合物Ｍ２の吸光度を算出する。これにより、希釈液による吸光の影響を排除することができるので、第２混合物Ｍ２の吸光度を正確に算出することができる。
【０１５６】
次に、算出部３１Ｄは、算出した第２混合物Ｍ２の吸光度から、第２混合物Ｍ２に含まれる測定成分の濃度を算出する。次に、算出した第２混合物Ｍ２に含まれる測定成分の濃度に、希釈倍率の逆数を乗ずることにより、測定液に含まれる測定成分の濃度を算出する。
【０１５７】
このように、本実施形態における測定装置１Ｄでは、測定容器１０Ｄは、測定試薬４０が封入されていない第２基準室６０を備えている。第２基準室６０には、希釈液が第１基準液Ｃ１として注入される。そして、第２基準液を透過した光の透過量を測定することにより、希釈液による光の吸光度を算出する。第２混合物Ｍ２の吸光度を算出する時に、希釈液による光の吸光度による影響を排除する。これにより、正確に第２混合物Ｍ２の吸光度を算出することができる。すなわち、測定液の測定成分の濃度を正確に算出することができるようになっている。
【０１５８】
なお、本実施形態では、測定容器１０Ｄは、測定室１４ａを第１基準室として使用した。しかし、測定容器に第１基準室を設けず、第２基準室のみを設ける構成であっても構わない。ただし、第１基準室を設けない場合には、第２混合物Ｍ２の吸光度を算出する際に、測定液の濁りによる吸光度は考慮されない。
【０１５９】
〔実施形態５〕
本発明の他の実施形態について、図１７〜図１９に基づいて説明すれば、以下のとおりである。なお、説明の便宜上、前記実施形態にて説明した部材と同じ機能を有する部材については、同じ符号を付記し、その説明を省略する。
【０１６０】
測定液、希釈液、および測定試薬を混合して混合液を呈色させることによる測定成分の測定では、混合液の呈色の度合いは、測定液および希釈液の量、すなわち、希釈率によって急激に変化する。このため、測定液の測定成分の濃度を精度良く測定するためには、希釈率が正確になるように、正確な量の測定液および希釈液を測定容器に注入する必要がある。
【０１６１】
ここで、本発明では、液体注入装置２４は、測定容器に液体を送液するチューブを備えており、チューブを介して、測定容器に液体を注入する。しかしながら、チューブに空気（気泡）などの異物が存在していると、正確な量の測定液または希釈液を測定容器に注入することができない。
【０１６２】
希釈率が正確になるように測定液および希釈液を測定容器に注入する方法としては、測定容器に注入する測定液および希釈液の量を多くすることが考えられる。しかしながら、測定容器に注入する測定液および希釈液の量を多くすると、測定容器に封入する測定試薬の量も同様に多く量が必要となる。測定試薬は、高価であるため、測定容器に封入する測定試薬の量を多くすると、コストが高くなってしまう。
【０１６３】
そこで、本実施形態における測定装置１Ｅは、測定容器に測定試薬が封入されていない第３基準室（液体注入試行室）を設けている。これにより、測定室に測定液または希釈液を注入する前に、上記チューブを測定液または希釈液で満たすことができ、希釈率が正確になるように測定液および希釈液を測定容器に注入することができるようになっている。
【０１６４】
（測定装置１Ｅの構成）
本実施形態における測定装置１Ｅの構成について、図１７を参照しながら説明する。図１７は、本実施形態における測定装置１Ｅの構成を示す概略図である。
【０１６５】
測定装置１Ｅは、実施形態１における測定装置１Ａの構成（図１参照）と略同様の構成であるが、図１７に示すように、測定容器１０Ｅ、制御部３０Ｅ、及び算出部３１Ｅの構成が異なる。
【０１６６】
本実施形態の測定容器１０Ｅについて、図１８に基づいて説明する。図１８は、測定容器１０Ｅの構成を示す正面図である。本実施形態の測定容器１０Ｅは、図１８に示すように、５つの測定室１４ａ〜１４ｅと、１つの第３基準室７０（液体注入試行室）とを備えている。各測定室１４ａ〜１４ｅには、種類、量、又は種類及び量が異なる測定試薬４０ａ〜４０ｅが封入されており、第３基準室７０には、測定試薬４０は封入されていない。
【０１６７】
制御部３０Ｅは、駆動機構２３、液体注入装置２４、及び光学測定機構２５の発光部２５ａの動作を制御する。
【０１６８】
算出部３１Ｅは、受光部２５ｂから出力された光の透過量のデータ（スペクトルデータ）を基に、測定室１４ａ〜１４ｅ内の液体試料の吸光度を算出し、算出した吸光度から測定室１４ａ〜１４ｅ内の液体試料中の測定成分の濃度を算出する。
【０１６９】
液体注入装置２４は、図１７に示すように、希釈液収容容器（不図示）から測定容器に希釈液を送液するチューブ２４ａと、測定液収容容器（不図示）から測定容器に測定液を送液するチューブ２４ｂとを備えている。液体注入装置２４は、チューブ２４ａを介して測定容器１０Ｅに希釈液を注入し、チューブ２４ｂを介して測定容器１０Ｅに希釈液を注入する。
【０１７０】
（測定装置１Ｅの測定方法）
測定装置１Ｅを用いた測定方法について、図１９を参照しながら説明する。図１９は、測定装置１Ｅを用いた測定の手順を示すフローチャートである。
【０１７１】
図１９に示すように、まず、制御部３０Ｅからの指示により、液体注入装置２４は、チューブ２４ａを介して希釈液を第３基準室７０に注入し、チューブ２４ｂを介して測定液を第３基準室７０に注入する（Ｓ５１、液体注入試行工程（液体注入試行モード））。液体注入試行工程では、チューブ２４ａが希釈液で満たされ、チューブ２４ｂが測定液で満たされた状態となるように、希釈液および測定液を第３基準室７０に注入する。
【０１７２】
次に、制御部３０Ｅからの指示により、液体注入装置２４は、希釈液を各測定室１４ａ〜１４ｅに注入する（Ｓ５２、希釈液注入工程）。ここで、本実施形態における測定装置１Ｅでは、液体注入試行工程を実行しているので、希釈液注入工程を実行させる前に、各測定室１４ａ〜１４ｅに注入する希釈液を送液するチューブ２４ａが希釈液で満たされている。その結果、希釈液注入工程において、各測定室１４ａ〜１４ｅに正確な量の希釈液を注入することができるようになっている。
【０１７３】
次に、制御部３０Ｅからの指示により、駆動機構２３は、回転軸１９を中心として測定容器１０Ｅを回転させ、希釈液と測定試薬４０ａ〜４０ｅとを各測定室１４ａ〜１４ｅ内部で撹拌する（Ｓ５３、第１撹拌工程）。これにより、各測定室１４ａ〜１４ｅにおいて、測定試薬４０ａ〜４０ｅを希釈液にそれぞれ溶解させる。その結果、各測定室１４ａ〜１４ｅには、希釈液と測定試薬４０ａ〜４０ｅとの混合物である第１混合物Ｍ１ａ〜Ｍ１ｅがそれぞれ作製される。
【０１７４】
次に、光学測定機構２５を用いて光学測定を行い、各測定室１４ａ〜１４ｅに収容されている、希釈液と測定試薬４０ａ〜４０ｅとの混合物である第１混合物Ｍ１ａ〜Ｍ１ｅを透過した光の透過量を測定する（Ｓ５４、第１測定工程）。
【０１７５】
次に、制御部３０Ｅからの指示により、液体注入装置２４は、測定液を各測定室１４ａ〜１４ｅに注入する（Ｓ５５、測定液注入工程）。ここで、本実施形態における測定装置１Ｅでは、液体注入試行工程を実行しているので、測定液注入工程を実行させる前に、各測定室１４ａ〜１４ｅに注入する測定液を送液するチューブ２４ｂが測定液で満たされている。その結果、測定液注入工程において、各測定室１４ａ〜１４ｅに正確な量の測定液を注入することができるようになっている。
【０１７６】
次に、制御部３０Ｅからの指示により、駆動機構２３は、回転軸１９を中心として測定容器１０Ｅを回転させ、希釈液および測定試薬４０ａ〜４０ｅ（第１混合物Ｍ１ａ〜Ｍ１ｅ）と、測定液とを各測定室１４ａ〜１４ｅ内部で撹拌する（Ｓ５６、第２撹拌工程）。これにより、各測定室１４ａ〜１４ｅにおいて、測定液、希釈液及び測定試薬４０ａ〜４０ｅの混合物である第２混合物Ｍ２ａ〜Ｍ２ｅがそれぞれ作製される。また、第３基準室７０では、測定液と希釈液とが撹拌され、測定液と希釈液との混合溶液である第３基準液Ｃ３（混合液）が作製される。
【０１７７】
次に、光学測定機構２５を用いて光学測定を行い、各測定室１４ａ〜１４ｅに収容されている第２混合物Ｍ２ａ〜Ｍ２ｅを透過した光の透過量をそれぞれ測定する（Ｓ５７、第２測定工程）。
【０１７８】
次に、光学測定機構２５を用いて光学測定を行い、第３基準室７０に収容されている第３基準液Ｃ３を透過した光の透過量を測定する（Ｓ５８、混合液測定工程（混合液測定モード））。
【０１７９】
受光部２５ｂは、混合液測定工程によって得られた第３基準液Ｃ３を透過した光の透過量の測定データ（第５測定結果）を、算出部３１Ｅに出力する。算出部３１Ｅは、第１基準液測定工程によって得られた第３基準液Ｃ３を透過した光の透過量の測定データを、後述する測定液の測定成分の濃度を算出する際に使用する。
【０１８０】
最後に、算出部３１Ｅが、測定成分の濃度を算出する（Ｓ５９）。
【０１８１】
具体的には、まず、算出部３１Ｅは、第１測定工程で測定した第１混合物Ｍ１ａ〜Ｍ１ｅを透過した光の透過量から、測定試薬４０ａ〜４０ｅの吸光特性をそれぞれ算出する。
【０１８２】
次に、算出部３１Ｅは、混合液測定工程において測定された第３基準液Ｃ３を透過した光の透過量から、測定液の濁りの吸光による吸光度を算出する。上述したように、第３基準室７０には、測定試薬４０が封入されていない。したがって、混合液測定工程にいて測定された第３基準液Ｃ３を透過した光の透過量から、算出される吸光度は、測定液の濁りの吸光による吸光度である。それゆえ、混合液測定工程において測定された第３基準液Ｃ３を透過した光の透過量から、測定液の濁りの吸光による吸光度を算出することができる。
【０１８３】
ここで、液体注入試行工程において、第３基準室７０に希釈液および測定液を注入する際には、チューブ２４ａ・２４ｂに空気（気泡）などの異物が存在している可能性があり、第３基準室７０に注入される希釈液および測定液の量は、必ずしも正確ではない。しかしながら、第２混合物Ｍ２ａ〜Ｍ２ｅの呈色の度合いは、測定液および希釈液の量、すなわち、希釈率によって急激に変化するのに対し、測定液の濁りによる吸光度は、第３基準室７０に測定試薬４０が封入されていないので第３基準液Ｃ３の希釈率によって大きくは変化しない。したがって、混合液測定工程により測定液の濁りの吸光による吸光度を算出することができる。
【０１８４】
次に、算出部３１Ｅは、第２測定工程において測定した第２混合物Ｍ２ａ〜Ｍ２ｅを透過した光の透過量から、第２混合物Ｍ２ａ〜Ｍ２ｅの吸光度をそれぞれ算出する。具体的には、算出部３１Ｅは、測定試薬４０ａ〜４０ｅの吸光特性、及び測定液の濁りによる吸光度を考慮にいれて、第２混合物Ｍ２ａ〜Ｍ２ｅの吸光度をそれぞれ算出する。これにより、測定液に濁りが存在しても、濁りによる吸光の影響を排除することができるので、第２混合物Ｍ２ａ〜Ｍ２ｅの吸光度を正確に算出することができる。
【０１８５】
次に、算出部３１Ｅは、算出した第２混合物Ｍ２ａ〜Ｍ２ｅの吸光度から、第２混合物Ｍ２ａ〜Ｍ２ｅに含まれる測定成分の濃度をそれぞれ算出する。次に、算出した第２混合物Ｍ２ａ〜Ｍ２ｅに含まれる測定成分の濃度に、希釈倍率の逆数を乗ずることにより、測定液に含まれる測定成分の濃度をそれぞれ算出する。
【０１８６】
なお、液体注入試行工程では、希釈液および測定液の量の割合が一定の割合（例えば、１：１）となるように、希釈液および測定液を第３基準室７０に注入する。これにより、算出部３１Ｅは、上記一定の割合における測定液の濁りによる吸光度を算出することができる。その結果、第２混合物Ｍ２ａ〜Ｍ２ｅの吸光度をそれぞれ算出するときに、各測定室１４ａ〜１４ｅの希釈率における濁りによる吸光度を考慮にいれることができるようになっている。
【０１８７】
また、本実施形態における測定装置１Ｅでは、第３基準室７０において混合液測定工程を行なわず、液体注入試行工程のみを実行する構成としてもよい。このような構成にとしたとしても、希釈液注入工程および測定液注入工程を実行する前に、チューブ２４ａが希釈液で満たされ、チューブ２４ｂが測定液で満たされた状態とすることができる。これにより、希釈液注入工程および測定液注入工程において、希釈液及び測定液をそれぞれ正確に各測定室１４ａ〜１４ｅに注入することができ、希釈率が正確になるように測定液および希釈液を各測定室１４ａ〜１４ｅに注入することができる。その結果、測定液の各測定成分の濃度を精度良く測定できるようになっている。ただし、第３基準室７０において混合液測定工程を行わない場合には、第２混合物Ｍ２ａ〜Ｍ２ｅの吸光度を算出する際に、測定液の濁りによる吸光度は考慮されない。
【０１８８】
このように、本実施形態における測定装置１Ｅでは、測定容器１０Ｅは、測定試薬４０が封入されていない第３基準室７０を備えている。そして、希釈液注入工程および測定液注入工程を実行する前に、希釈液および測定液を第３基準室７０にそれぞれ注入する。これにより、チューブ２４ａおよびチューブ２４ｂを、測定液および希釈液でそれぞれ満たすことができる。その結果、希釈液注入工程および測定液注入工程において、正確な量の希釈液および測定液を各測定室１４ａ〜１４ｅに注入することができ、希釈率が正確になるように測定液および希釈液を各測定室１４ａ〜１４ｅに注入することができるようになっている。したがって、測定液の各測定成分の濃度を精度良く算出できるようになっている。
【０１８９】
また、本実施形態における測定装置１Ｅでは、測定液注入工程で用いた第３基準室７０において、希釈液および測定液の混合液である第３基準液Ｃ３を透過した光の透過量を測定する混合液測定工程を実行することにより、測定液の濁りによる光の吸光度を算出する。そして、第２混合物Ｍ２ａ〜Ｍ２ｅの吸光度を算出する際に、測定液の濁りによる光の吸光度による影響を排除する。これにより、第２混合物Ｍ２ａ〜Ｍ２ｅの吸光度を正確に算出することができるようになっている。また、第３基準室７０において、測定液注入工程および混合液測定工程を実行することができるので、少ない工程で測定精度を向上させることができると共に、測定装置をコンパクトにし、製造コストを低減させることができるようになっている。
【０１９０】
〔実施形態６〕
本発明の他の実施形態について、図２０〜図２２に基づいて説明すれば、以下のとおりである。なお、説明の便宜上、前記実施形態にて説明した部材と同じ機能を有する部材については、同じ符号を付記し、その説明を省略する。
【０１９１】
本発明では、測定容器もまたわずかであるが光を吸収するため、光の透過量を測定する際に、希釈液によって透過量が減少する。その結果、測定成分の濃度を実際の測定成分の濃度よりも高く算出してしまうという問題がある。
【０１９２】
そこで、本実施形態における測定装置１Ｆは、測定容器による透過光の減衰率を考慮することにより、測定液の測定成分の濃度を正確に算出することができるようになっている。
【０１９３】
（測定装置１Ｆの構成）
本実施形態における測定装置１Ｆの構成について、図２０を参照しながら説明する。図２０は、本実施形態における測定装置１Ｆの構成を示す概略図である。
【０１９４】
測定装置１Ｆは、実施形態１における測定装置１Ａの構成（図１参照）と略同様の構成であるが、図２０に示すように、測定容器１０Ｆ、制御部３０Ｆ、及び算出部３１Ｆの構成が異なる。
【０１９５】
本実施形態の測定容器１０Ｆについて、図２１に基づいて説明する。図２１は、測定容器１０Ｆの構成を示す正面図である。本実施形態の測定容器１０Ｆは、図２１に示すように、５つの測定室１４ａ〜１４ｅと、１つの第４基準室８０（ブランク測定室）とを備えている。各測定室１４ａ〜１４ｅには、種類、量、又は種類及び量が異なる測定試薬４０ａ〜４０ｅが封入されており、第４基準室８０には、測定試薬４０は封入されていない。
【０１９６】
制御部３０Ｆは、駆動機構２３、液体注入装置２４、及び光学測定機構２５の発光部２５ａの動作を制御する。
【０１９７】
算出部３１Ｆは、受光部２５ｂから出力された光の透過量のデータ（スペクトルデータ）を基に、測定室１４ａ〜１４ｅ内の液体試料の吸光度を算出し、算出した吸光度から測定室１４ａ〜１４ｅ内の液体試料中の測定成分の濃度を算出する。
【０１９８】
（測定装置１Ｆの測定方法）
測定装置１Ｆを用いた測定方法について、図２２を参照しながら説明する。図２２は、測定装置１Ｆを用いた測定の手順を示すフローチャートである。
【０１９９】
図２２に示すように、まず、光学測定機構２５を用いて光学測定を行い、第４基準室８０を透過した光の透過量を測定する（Ｓ６１、ブランク測定工程（ブランク測定モード））。ブランク測定工程では、測定試薬、測定液、および希釈液が存在しない状態、すなわち空状態となっている第４基準室８０に対して光学測定を行う。光学測定機構２５は、ブランク測定工程によって得られた第４基準室８０を透過した光の透過量の測定データを、算出部３１Ｆに出力する。ブランク測定工程によって得られた第４基準室８０を透過した光の透過量の測定データは、後述する測定液の測定成分の濃度を算出する際に使用する。
【０２００】
次に、制御部３０Ｆからの指示により、液体注入装置２４は、測定液および希釈液を第４基準室８０に注入する（Ｓ６２、液体注入試行工程）。
【０２０１】
次に、制御部３０Ｆからの指示により、液体注入装置２４は、希釈液を各測定室１４ａ〜１４ｅに注入する（Ｓ６３、希釈液注入工程）。
【０２０２】
次に、制御部３０Ｆからの指示により、駆動機構２３は、回転軸１９を中心として測定容器１０Ｆを回転させ、希釈液と測定試薬４０ａ〜４０ｅとを各測定室１４ａ〜１４ｅ内部で撹拌する（Ｓ６４、第１撹拌工程）。これにより、各測定室１４ａ〜１４ｅにおいて、測定試薬４０ａ〜４０ｅを希釈液にそれぞれ溶解させる。その結果、各測定室１４ａ〜１４ｅには、希釈液と測定試薬４０ａ〜４０ｅとの混合物である第１混合物Ｍ１ａ〜Ｍ１ｅがそれぞれ作製される。
【０２０３】
次に、光学測定機構２５を用いて光学測定を行い、各測定室１４ａ〜１４ｅに収容されている、希釈液と測定試薬４０ａ〜４０ｅとの混合物である第１混合物Ｍ１ａ〜Ｍ１ｅを透過した光の透過量を測定する（Ｓ６５、第１測定工程）。
【０２０４】
次に、制御部３０Ｆからの指示により、液体注入装置２４は、測定液を各測定室１４ａ〜１４ｅに注入する（Ｓ６６、測定液注入工程）。
【０２０５】
次に、制御部３０Ｆからの指示により、駆動機構２３は、回転軸１９を中心として測定容器１０Ｆを回転させ、希釈液および測定試薬４０ａ〜４０ｅ（第１混合物Ｍ１ａ〜Ｍ１ｅ）と、測定液とを各測定室１４ａ〜１４ｅ内部で撹拌する（Ｓ６７、第２撹拌工程）。これにより、各測定室１４ａ〜１４ｅにおいて、測定液、希釈液及び測定試薬４０ａ〜４０ｅの混合物である第２混合物Ｍ２ａ〜Ｍ２ｅがそれぞれ作製される。また、第４基準室８０では、測定液と希釈液とが撹拌され、測定液と希釈液との混合溶液である第４基準液Ｃ４が作製される。
【０２０６】
次に、光学測定機構２５を用いて光学測定を行い、各測定室１４ａ〜１４ｅに収容されている第２混合物Ｍ２ａ〜Ｍ２ｅを透過した光の透過量をそれぞれ測定する（Ｓ６８、第２測定工程）。
【０２０７】
次に、光学測定機構２５を用いて光学測定を行い、第４基準室８０に収容されている第４基準液Ｃ４を透過した光の透過量を測定する（Ｓ６９、混合液測定工程）。
【０２０８】
受光部２５ｂは、混合液測定工程によって得られた第４基準液Ｃ４を透過した光の透過量の測定データ（第６測定結果）を、算出部３１Ｆに出力する。算出部３１Ｆは、第１基準液測定工程によって得られた第４基準液Ｃ４を透過した光の透過量の測定データを、後述する測定液の測定成分の濃度を算出する際に使用する。
【０２０９】
最後に、算出部３１Ｆが、測定成分の濃度を算出する（Ｓ７０）。
【０２１０】
具体的には、まず、算出部３１Ｆは、ブランク測定工程において測定した第４基準室８０を透過した光の透過量から、測定容器１０Ｆによって吸収される光量、すなわち、測定容器１０Ｆによる透過光の減衰率を算出する。
【０２１１】
次に、算出部３１Ｆは、混合液測定工程において測定された第４基準液Ｃ４を透過した光の透過量から、測定液の濁りによる吸光度を算出する。
【０２１２】
次に、算出部３１Ｆは、第２測定工程において測定した第２混合物Ｍ２ａ〜Ｍ２ｅを透過した光の透過量から、第２混合物Ｍ２ａ〜Ｍ２ｅの吸光度をそれぞれ算出する。具体的には、算出部３１Ｆは、測定容器１０Ｆの吸光による透過光の減衰率、測定試薬４０ａ〜４０ｅの吸光特性、及び測定液の濁りによる吸光度を考慮にいれて、第２混合物Ｍ２ａ〜Ｍ２ｅの吸光度をそれぞれ算出する。これにより、測定容器１０Ｆによる透過光の吸光の影響を排除することができるので、第２混合物Ｍ２ａ〜Ｍ２ｅの吸光度を正確に算出することができる。
【０２１３】
次に、算出部３１Ｄは、算出した第２混合物Ｍ２ａ〜Ｍ２ｅの吸光度から、第２混合物Ｍ２ａ〜Ｍ２ｅに含まれる測定成分の濃度をそれぞれ算出する。次に、算出した第２混合物Ｍ２ａ〜Ｍ２ｅに含まれる測定成分の濃度に、希釈倍率の逆数を乗ずることにより、測定液に含まれる測定成分の濃度をそれぞれ算出する。
【０２１４】
このように、本実施形態における測定装置１Ｆでは、測定容器１０Ｆは、測定試薬４０が封入されていない第４基準室８０を備えている。そして、空状態の第４基準室８０においてブランク測定工程を行い、測定容器１０Ｆによる透過光の減衰率を算出する。そして、第２混合物Ｍ２ａ〜Ｍ２ｅの吸光度をそれぞれ算出するときに、測定容器１０Ｆによる透過光の吸光の影響を排除する。これにより、正確に第２混合物Ｍ２ａ〜Ｍ２ｅの吸光度を算出することができる。その結果、測定液の測定成分の濃度を正確に算出することができるようになっている。
【０２１５】
なお、本実施形態では、第４基準室８０において混合液測定工程を実行し、測定液の濁度を算出していたが、必ずしも混合液測定工程を実行しなくてもよい。すなわち、第４基準室８０において、ブランク測定工程のみを実行する構成としてもよい。このような構成にとしたとしても、ブランク測定工程を実行することにより、測定容器１０Ｆによる透過光の減衰率を算出することができる。したがって、第２混合物Ｍ２ａ〜Ｍ２ｅの吸光度を算出する際に、測定容器１０Ｆによる透過光の吸光の影響を排除することができる。ただし、第４基準室８０において混合液測定工程を実行しない場合には、測定液の濁りによる吸光度は考慮されない。
【０２１６】
なお、本発明の測定装置を量産した場合、各測定装置の発光部が備える光源（ＬＥＤ）に個体差が存在することや測定装置に汚れなどが存在することにより、測定結果がばらつくことが考えられる。また、測定する環境の変化によっても、測定結果がばらつくことが考えられる。
【０２１７】
そこで、本実施形態における測定装置１Ｆに、基準とする測定容器を用いて、予め基準とする測定容器の基準室を透過した光の透過量のデータを記憶させておく。そして、該透過量のデータと、第４基準室８０において測定したブランク測定工程における測定結果とを比較することにより、装置間の個体差による測定結果のばらつきの校正、および測定する環境変化による測定結果のばらつきの校正を行うことが可能となる。
【０２１８】
〔まとめ〕
本発明の態様１に係る測定装置１Ａ〜１Ｆは、測定液中の測定成分に反応する測定試薬４０・４０ａ〜４０ｆが封入された１つまたは複数の測定室１４・１４ａ〜１４ｆを備える測定容器１０Ａ〜１０Ｆと、上記測定室１４・１４ａ〜１４ｆに対して測定液および希釈液をそれぞれ注入する液体注入部（液体注入装置２４）と、上記測定室１４・１４ａ〜１４ｆに注入された液体と上記測定試薬４０・４０ａ〜４０ｆとの混合物を透過した透過光を測定する測定部（光学測定機構２５）と、上記測定部（光学測定機構２５）の測定結果に基づいて、上記測定液中の測定成分の濃度を算出する算出部３１Ａ〜３１Ｆと、上記液体注入部（液体注入装置２４）および上記測定部（光学測定機構２５）を制御する制御部３０Ａ〜３０Ｆとを備える測定装置であって、上記制御部３０Ａ〜３０Ｆは、上記液体注入部（液体注入装置２４）により上記測定室１４・１４ａ〜１４ｆに対して上記希釈液を注入する希釈液注入モードと、上記測定部（光学測定機構２５）により上記希釈液と上記測定試薬４０・４０ａ〜４０ｆとの第１混合物Ｍ１・Ｍ１ａ〜Ｍ１ｆを透過した透過光を測定する第１測定モードと、上記液体注入部（液体注入装置２４）により、上記希釈液が注入された測定室１４・１４ａ〜１４ｆに対して測定液を注入する測定液注入モードと、上記測定部（光学測定機構２５）により、上記希釈液と上記測定液と上記測定試薬４０・４０ａ〜４０ｆとの第２混合物Ｍ２・Ｍ２ａ〜Ｍ２ｆを透過した透過光を測定する第２測定モードとを実行させ、上記算出部３１Ａ〜３１Ｆは、上記第１測定モードで測定された第１測定結果と、上記第２測定モードで測定された第２測定結果とに基づいて、上記測定液中の測定成分の濃度を算出することを特徴としている。
【０２１９】
この特徴によれば、第１測定モードにおいて希釈液と測定試薬との第１混合物を透過した透過光を測定し、第２測定モードにおいて希釈液と測定液と測定試薬との第２混合物を透過した透過光を測定する。そして、第１測定モードで測定された第１測定結果と、第２測定モードで測定された第２測定結果とに基づいて、測定液中の測定成分の濃度を算出する。すなわち、第１測定結果から測定試薬が持つ固有の光学特性を算出し、測定成分の濃度を算出する際に、測定試薬の光学特性を考慮にいれる。これにより、測定容器に封入している間に測定試薬の光学特性が変化した場合においても、実際に測定試薬の光学特性を算出しているので、測定試薬の光学特性の変化を考慮に入れて、正確に測定液の測定成分の濃度を算出することができる。それゆえ、測定試薬の光学特性が変化したとしても、測定液中に含まれる測定成分を正確に測定することができる測定装置を提供するという効果を奏する。
【０２２０】
本発明の態様２に係る測定装置１Ｂ・１Ｅ・１Ｆは、上記態様１において、上記１つまたは複数の測定室１４・１４ａ〜１４ｆは、複数の測定室１４ａ〜１４ｆであり、上記複数の測定室１４ａ〜１４ｆにはそれぞれ、異なる種類の測定試薬４０・４０ａ〜４０ｆ、異なる量の測定試薬４０・４０ａ〜４０ｆ、又は、異なる種類および異なる量の測定試薬４０・４０ａ〜４０ｆが封入され、上記算出部３１Ｂ・３１Ｅ・３１Ｆは、上記第１測定モードで測定された第１測定結果と、上記第２測定モードで測定された第２測定結果とに基づいて、上記複数の測定室１４ａ〜１４ｆのそれぞれの測定液中の測定成分の濃度を算出する構成であることが好ましい。
【０２２１】
上記の構成によれば、測定容器は複数の測定室を備えており、複数の測定室にはそれぞれ、異なる種類の測定試薬、異なる量の測定試薬、又は、異なる種類および異なる量の測定試薬が封入されている。そして、複数の測定室にそれぞれ封入されている測定試薬の吸光特性を算出し、各測定試薬の吸光特性に考慮に入れて、各測定試薬に反応する測定液の測定成分の濃度を算出している。これにより、測定液に含まれる複数の測定成分の濃度を１つの測定容器で同時に算出することができる。
【０２２２】
本発明の態様３に係る測定装置１Ｂ・１Ｅ・１Ｆは、上記態様２において、上記測定容器１０Ｂ・１０Ｅ・１０Ｆを、回転軸１９を中心として回転運動させる回転駆動部（駆動機構２３）を備え、上記複数の測定室１４ａ〜１４ｆは、上記回転軸１９を中心とする同一円周上に配置されている構成であることが好ましい。
【０２２３】
上記の構成によれば、複数の測定室が、回転軸を中心とする同一円周上に配置されている。これにより、回転駆動部により回転軸を中心として測定容器を回転させることにより、１つの光学系で複数の測定を行うことが可能になる。
【０２２４】
本発明の態様４に係る測定装置１Ｃ・１Ｄは、上記態様１〜３の何れかにおいて、上記測定容器１０Ｃ・１０Ｄは、上記測定試薬４０・４０ａ〜４０ｆが封入されていない第１基準室５０を備え、上記制御部３０Ｃ・３０Ｄは、上記液体注入部（液体注入装置２４）により上記第１基準室５０に対して、上記測定液単独、または、上記測定液および希釈液の両方を、第１基準液Ｃ１として注入する第１基準液注入モードと、上記測定部（光学測定機構２５）により、上記第１基準室５０に注入された上記第１基準液Ｃ１を透過した透過光を測定する第１基準液測定モードとをそれぞれ実行させ、上記算出部３１Ｃ・３１Ｄは、上記第１測定モードで測定された第１測定結果と、上記第２測定モードで測定された第２測定結果と、上記第１基準液測定モードで測定された第３測定結果とに基づいて、上記測定液中の測定成分の濃度を算出する構成であることが好ましい。
【０２２５】
上記の構成によれば、測定装置は、測定試薬が封入されていない第１基準室を備えている。そして、第１基準室に、測定液単独、または、上記測定液および希釈液の両方を、第１基準液として注入し、第１基準室に注入された第１基準液を透過した透過光を測定する。さらに、第１基準液を透過した透過光から、測定液の濁りによる光の吸光度を算出する。これにより、測定液の測定成分の濃度を算出する時に、測定液の濁りによる光の吸光を考慮に入れることができる。したがって、測定液の測定成分の濃度を正確に算出することができる。
【０２２６】
本発明の態様５に係る測定装置１Ｄは、上記態様１〜３の何れかにおいて、上記測定容器１０Ｄは、上記測定試薬４０・４０ａ〜４０ｆが封入されていない第２基準室６０を備え、上記制御部３０Ｄは、上記液体注入部（液体注入装置２４）により上記第２基準室６０に対して、希釈液を第２基準液Ｃ２として注入する第２基準液注入モードと、上記測定部（光学測定機構２５）により、上記第２基準室６０に注入された上記第２基準液Ｃ２を透過した透過光を測定する第２基準液測定モードとをそれぞれ実行させ、上記算出部３１Ｄは、上記第１測定モードで測定された第１測定結果と、上記第２測定モードで測定された第２測定結果と、上記第２基準液測定モードで測定された第４測定結果とに基づいて、上記測定液中の測定成分の濃度を算出する構成であることが好ましい。
【０２２７】
上記の構成によれば、測定装置は、測定試薬が封入されていない第２基準室を備えている。そして、第２基準室に希釈液を第２基準液として注入し、第２基準室に注入された第２基準液を透過した透過光を測定する。さらに、第２基準液を透過した透過光から、希釈液による光の吸光度を算出する。これにより、測定液の測定成分の濃度を算出する時に、希釈液による光の吸光を考慮に入れることができる。したがって、測定液の測定成分の濃度を正確に算出することができる。
【０２２８】
本発明の態様６に係る測定装置１Ｅは、上記態様１〜３または５の何れかにおいて、上記測定容器１０Ｅは、上記測定試薬が封入されていない液体注入試行室（第３基準室７０）を備え、上記液体注入部（液体注入装置２４）は、上記測定液または上記希釈液を上記測定容器１０Ｅに送液するチューブ２４ａ・２４ｂを備え、上記制御部３０Ｅは、上記液体注入部（液体注入装置２４）により上記希釈液注入モードおよび上記測定液注入モードを実行させる前に、上記チューブ２４ａ・２４ｂを上記測定液または上記希釈液で満たすように、上記液体注入部（液体注入装置２４）により上記チューブ２４ａ・２４ｂを介して上記液体注入試行室（第３基準室７０）に対して上記希釈液および上記測定液をそれぞれ注入する液体注入試行モードを実行させる構成であることが好ましい。
【０２２９】
上記の構成によれば、希釈液注入工程および測定液注入工程を実行する前に、希釈液および測定液を液体注入試行室にそれぞれ注入する。これにより、チューブを、測定液または希釈液でそれぞれ満たすことができる。その結果、希釈液注入工程および測定液注入工程において、正確な量の希釈液および測定液を測定室に注入することができ、希釈率が正確になるように測定液および希釈液を測定室に注入することができるようになる。したがって、測定液の各測定成分の濃度を精度良く算出することできる。
【０２３０】
本発明の態様７に係る測定装置１Ｅは、上記態様６において、上記制御部３０Ｅは、上記測定部（光学測定機構２５）により上記液体注入試行モードにおいて上記液体注入試行室（第３基準室７０）に対して注入された上記希釈液および上記測定液の混合液（第３基準液Ｃ３）を透過した透過光を測定する混合液測定モードを実行させ、上記算出部３１Ｅは、上記第１測定モードで測定された第１測定結果と、上記第２測定モードで測定された第２測定結果と、上記混合液測定モードで測定された第５測定結果とに基づいて、上記測定液中の測定成分の濃度を算出する構成であってもよい。
【０２３１】
上記の構成によれば、測定液注入工程で用いた液体注入試行室において、希釈液および測定液の混合液を透過した光の透過量を測定する混合液測定工程を実行することにより、測定液の濁りによる光の吸光度を算出する。そして、第２混合物の吸光度を算出する際に、測定液の濁りによる光の吸光度による影響を排除する。これにより、第２混合物の吸光度を正確に算出することができるようになっている。また、液体注入試行室において、測定液注入工程および混合液測定工程を実行することができるので、少ない工程で測定精度を向上させることができると共に、測定装置をコンパクトにし、製造コストを低減させることができる。
【０２３２】
本発明の態様８に係る測定装置１Ｆは、上記態様１〜７の何れかにおいて、上記測定容器１０Ｆは、上記測定試薬が封入されていないブランク測定室（第４基準室８０）を備え、上記制御部３０Ｆは、上記測定部（光学測定機構２５）により、上記測定液および上記希釈液が注入されていない上記ブランク測定室（第４基準室８０）を透過した透過光を測定するブランク測定モードを実行させ、上記算出部３１Ｆは、上記ブランク測定モードで測定された第６測定結果に基づいて、上記測定容器１０Ｆによる透過光の減衰率を算出し、算出した上記減衰率を用いて、上記測定液中の測定成分の濃度を算出する構成であることが好ましい。
【０２３３】
上記の構成によれば、空状態のブランク測定室においてブランク測定工程を行い、測定容器による透過光の減衰率を算出する。これにより、第２混合物の吸光度をそれぞれ算出するときに、測定容器による透過光の吸光の影響を排除する。これにより、正確に第２混合物の吸光度を算出することができる。その結果、測定液の測定成分の濃度を正確に算出することができる。
【０２３４】
本発明の態様９に係る測定方法は、測定液中の測定成分に反応する測定試薬４０・４０ａ〜４０ｆが封入された１つまたは複数の測定室１４・１４ａ〜１４ｆを備える測定容器１０Ａ〜１０Ｆを用いた測定方法であって、上記測定室１４・１４ａ〜１４ｆに対して測定液および希釈液をそれぞれ注入する液体注入工程と、上記測定室１４・１４ａ〜１４ｆに注入された液体と上記測定試薬４０・４０ａ〜４０ｆとの混合物を透過した透過光を測定する測定工程と、上記測定工程の測定結果に基づいて、上記測定液中の測定成分の濃度を算出する算出工程と、上記液体注入工程および上記測定工程を制御する制御工程とを含み、上記制御工程は、上記液体注入工程により上記測定室１４・１４ａ〜１４ｆに対して上記希釈液を注入する希釈液注入モードと、上記測定工程により上記希釈液と上記測定試薬４０・４０ａ〜４０ｆとの第１混合物Ｍ１を透過した透過光を測定する第１測定モードと、上記液体注入工程により、上記希釈液が注入された測定室１４・１４ａ〜１４ｆに対して測定液を注入する測定液注入モードと、上記測定工程により、上記希釈液と上記測定液と上記測定試薬４０・４０ａ〜４０ｆとの第２混合物Ｍ２を透過した透過光を測定する第２測定モードとをこの順に実行し、上記算出工程は、上記第１測定モードで測定された第１測定結果と、上記第２測定モードで測定された第２測定結果とに基づいて、上記測定液中の測定成分の濃度を算出することを特徴としている。
【０２３５】
この特徴によれば、第１測定モードにおいて希釈液と測定試薬との第１混合物を透過した透過光を測定し、第２測定モードにおいて希釈液と測定液と測定試薬との第２混合物を透過した透過光を測定する。そして、第１測定モードで測定された第１測定結果と、第２測定モードで測定された第２測定結果とに基づいて、測定液中の測定成分の濃度を算出する。すなわち、第１測定結果から測定試薬が持つ固有の光学特性を算出し、測定成分の濃度を算出する際に、測定試薬の光学特性を考慮にいれる。これにより、測定容器に封入している間に測定試薬の光学特性が変化した場合においても、実際に測定試薬の光学特性を算出しているので、測定試薬の光学特性の変化を考慮に入れて、正確に測定液の測定成分の濃度を算出することができる。それゆえ、測定試薬の光学特性が変化したとしても、測定液中に含まれる測定成分を正確に測定することができる測定方法を提供するという効果を奏する。
【０２３６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０２３７】
１Ａ〜１Ｆ                  測定装置
１０Ａ〜１０Ｆ              測定容器
１４、１４ａ〜１４ｆ        測定室
１９                        回転軸
２３                        駆動機構（回転駆動部）
２４                        液体注入装置（液体注入部）
２４ａ、２４ｂ              チューブ
２５                        光学測定機構（測定部）
３０Ａ〜３０Ｆ              制御部
３１Ａ〜３１Ｆ              算出部
４０、４０ａ〜４０ｆ        測定試薬
５０                        第１基準室
６０                        第２基準室
７０                        第３基準室（液体注入試行室）
８０                        第４基準室（ブランク測定室）
Ｃ１                        第１基準液
Ｃ２                        第２基準液
Ｃ３                        第３基準液
Ｃ４                        第４基準液
Ｍ１、Ｍ１ａ〜Ｍ１ｆ        第１混合物
Ｍ２、Ｍ２ａ〜Ｍ２ｆ        第２混合物
【図１】
2017072579.tif 000003
【図２】
2017072579.tif 000004
【図３】
2017072579.tif 000005
【図４】
2017072579.tif 000006
【図５】
2017072579.tif 000007
【図６】
2017072579.tif 000008
【図７】
2017072579.tif 000009
【図８】
2017072579.tif 000010
【図９】
2017072579.tif 000011
【図１０】
2017072579.tif 000012
【図１１】
2017072579.tif 000013
【図１２】
2017072579.tif 000014
【図１３】
2017072579.tif 000015
【図１４】
2017072579.tif 000016
【図１５】
2017072579.tif 000017
【図１６】
2017072579.tif 000018
【図１７】
2017072579.tif 000019
【図１８】
2017072579.tif 000020
【図１９】
2017072579.tif 000021
【図２０】
2017072579.tif 000022
【図２１】
2017072579.tif 000023
【図２２】
2017072579.tif 000024